(57)【要約】本発明は，住宅機器の状態確認または操作を安全に行うことができるセキュリティシステムを提供する。本発明によるセキュリティシステムでは，携帯電話が有する携帯電話モジュールは，ドアロック，家電機器等の住宅機器に設けられた住宅機器モジュールへＭ系列データ（呼びかけ信号）を送信する。この呼びかけに応じて，住宅機器モジュールは，住宅機器ＩＤを携帯電話モジュールに返信する。携帯電話モジュールは，住宅機器ＩＤに基づいて住宅機器モジュールを認証し，認証後，携帯電話ＩＤおよび状態確認または操作のコマンドを住宅機器モジュールに返信する。住宅機器モジュールは，携帯電話ＩＤに基づいて携帯電話モジュールを認証する。この相互認証が完了すると，住宅機器モジュールは，コマンドに従って住宅機器の状態確認または操作を行い，その結果を携帯電話モジュールに返信する。このように，相互認証後に，状態確認または操作が行われるので，第三者の不正なアクセスを防止できる。
2004086328.tif 000002
【特許請求の範囲】
【請求項１】
携帯装置と，住宅に設けられた住宅機器に接続される住宅機器装置とを有し，該住宅機器の状態の監視または操作を行うホームセキュリティシステムであって，
前記携帯装置は，
前記住宅機器の監視または操作のコマンドを入力する入力部と，
該携帯装置の識別子および前記住宅機器装置の識別子を記憶する第１記憶部と，
前記住宅機器装置から無線信号により送信された住宅機器装置の識別子を受信する第１受信部と，
前記第１受信部により受信された前記住宅機器装置の識別子と，前記第１記憶部に記憶された前記住宅機器装置の識別子とを比較する第１比較部と，
前記第１比較部による比較の結果，両識別子が一致する場合に，前記第１記憶部に記憶された前記携帯装置の識別子と，前記入力部により入力された前記コマンドとを無線信号により送信する第１送信部と，
を備え，
前記住宅機器装置は，
該住宅機器装置の識別子および前記携帯装置の識別子を記憶する第２記憶部と，
前記第２記憶部に記憶された前記住宅機器装置の識別子を無線信号により送信する第２送信部と，
前記第１送信部から送信された携帯装置の識別子およびコマンドを受信する第２受信部と，
前記第２受信部により受信された前記携帯装置の識別子と，前記第２記憶部に記憶された前記携帯装置の識別子とを比較する第２比較部と，
前記第２比較部による比較の結果，両識別子が一致する場合に，前記第２受信部により受信された前記コマンドを実行する実行部と，
を備えているホームセキュリティシステム。
【請求項２】
請求の範囲第１項において，
前記携帯装置は，前記第１受信部による前記住宅機器装置の識別子の受信前に，Ｍ系列データまたは２値擬似不規則データを無線信号により送信する第３送信部をさらに備え，
前記住宅機器装置は，前記第３送信部により送信されたＭ系列データまたは２値擬似不規則データを受信する第３受信部をさらに備え，
前記第２送信部は，前記第３受信部がＭ系列データまたは２値擬似不規則信号を受信することにより，前記住宅機器装置の識別子を送信する，
ホームセキュリティシステム。
【請求項３】
請求の範囲第１項または第２項において，
前記住宅機器装置は，前記実行部による前記コマンドの実行結果を無線信号により送信する第４送信部をさらに備え，
前記携帯装置は，
前記第１送信部による前記コマンドの送信後，前記住宅機器装置から無線信号により送信される前記コマンドの実行結果を受信する第４受信部と，
前記第４受信部により受信された前記コマンドの実行結果を表示する表示部と，
をさらに備えている，
ホームセキュリティシステム。
【請求項４】
携帯装置と，住宅に設けられた住宅機器に接続される住宅機器装置と，該住宅機器装置にホームネットワークを介して接続されるホームサーバとを有し，該住宅機器の状態の監視または操作を行うホームセキュリティシステムであって，
前記携帯装置は，
前記住宅機器の監視または操作のコマンドを入力する入力部と，
該携帯装置の識別子および前記ホームサーバの識別子を記憶する第１記憶部と，
前記ホームサーバから無線信号により送信されるホームサーバの識別子を受信する第１受信部と，
前記第１受信部により受信された前記ホームサーバの識別子と，前記第１記憶部に記憶された前記ホームサーバの識別子とを比較する第１比較部と，
前記第１比較部による比較の結果，両識別子が一致する場合に，前記第１記憶部に記憶された前記携帯装置の識別子と，前記入力部により入力された前記コマンドとを無線信号により送信する第１送信部と，
を備え，
前記ホームサーバは，
該ホームサーバの識別子および前記携帯装置の識別子を記憶する第２記憶部と，
前記第２記憶部に記憶された前記ホームサーバの識別子を無線信号により送信する第２送信部と，
前記第１送信部から送信された携帯装置の識別子およびコマンドを受信する第２受信部と，
前記第２受信部により受信された前記携帯装置の識別子と，前記第２記憶部に記憶された前記携帯装置の識別子とを比較する第２比較部と，
前記第２比較部による比較の結果，両識別子が一致する場合に，前記第２受信部により受信された前記コマンドを前記ホームネットワークを介して前記住宅機器装置に送信する第３送信部と，
を備え，
前記住宅機器装置は，
前記第３送信部により送信された前記コマンドを受信する第３受信部と，
前記第３受信部により受信された前記コマンドを実行する実行部と，
を備えているホームセキュリティシステム。
【請求項５】
請求の範囲第４項において，
前記携帯装置は，前記第１受信部による前記ホームサーバの識別子の受信前に，Ｍ系列データまたは２値擬似不規則データを無線信号により送信する第４送信部をさらに備え，
前記ホームサーバは，前記第４送信部により送信されたＭ系列データまたは２値擬似不規則データを受信する第４受信部をさらに備え，
前記第２送信部は，前記第４受信部がＭ系列データまたは２値擬似不規則信号を受信することにより，前記ホームサーバの識別子を送信する，
ホームセキュリティシステム。
【請求項６】
請求の範囲第４項または第５項において，
前記住宅機器装置は，前記実行部による前記コマンドの実行結果を前記ホームネットワークを介して送信する第５送信部をさらに備え，
前記ホームサーバは，
前記第５送信部から送信される前記コマンドの実行結果を受信する第５受信部と，
前記第５受信部により受信された前記コマンドの実行結果を無線信号により送信する第６送信部と，
を備え，
前記携帯装置は，
前記第６送信部から無線信号により送信される前記コマンドの実行結果を受信する第６受信部と，
前記第６受信部により受信された前記コマンドの実行結果を表示する表示部と，
をさらに備えているホームセキュリティシステム。
【請求項７】
請求の範囲第４項から第６項のいずれか１項において，
前記ホームサーバは前記住宅機器装置と一体に構成される，ホームセキュリティシステム。
【請求項８】
携帯装置と，住宅に設けられた住宅機器に接続される住宅機器装置と，該住宅機器装置にホームネットワークを介して接続されるホームサーバと，該ホームサーバと通信ネットワークを介して接続されるセキュリティ装置とを有し，該住宅機器の状態の監視または操作を行うホームセキュリティシステムであって，
前記携帯装置は，
前記住宅機器の監視または操作のコマンドを入力する入力部と，
該携帯装置の所有者または該携帯装置に割り当てられた加入者識別子を記憶する第１記憶部と，
前記第１記憶部に記憶された前記加入者識別子および前記入力部により入力された前記コマンドを無線信号により前記セキュリティ装置に送信する第１送信部と，
を備え，
前記セキュリティ装置は，
前記第１送信部により送信された前記加入者識別子および前記コマンドを受信する第１受信部と，
提供するホームセキュリティサービスに加入した加入者の加入者識別子を記憶する第２記憶部と，
前記第１受信部により受信された加入者識別子と，前記第２記憶部に記憶された加入者識別子とを比較する第１比較部と，
前記第１比較部による比較の結果，両加入者識別子が一致する場合に，前記第１受信部により受信された前記コマンドを前記通信ネットワークを介して前記ホームサーバに送信する第２送信部と，
を備え，
前記ホームサーバは，
前記第２送信部により送信されたコマンドを受信する第３受信部と，
前記第３受信部により受信された前記コマンドを前記ホームネットワークを介して前記住宅機器装置に送信する第３送信部と，
を備え，
前記住宅機器装置は，
前記第３送信部により送信された前記コマンドを受信する第４受信部と，
前記第４受信部により受信された前記コマンドを実行する実行部と，
を備えているホームセキュリティシステム。
【請求項９】
請求の範囲第８項において，
前記住宅機器装置は，前記実行部による前記コマンドの実行結果を前記ホームネットワークを介して前記ホームサーバに送信する第４送信部をさらに備え，
前記ホームサーバは，
前記第４送信部から送信された前記コマンドの実行結果を受信する第５受信部と，
前記第５受信部により受信された前記コマンドの実行結果を前記通信ネットワークを介して前記セキュリティ装置に送信する第５送信部と，
を備え，
前記セキュリティ装置は，前記第５送信部により送信された前記実行結果を前記携帯装置に転送する転送部をさらに備え，
前記携帯装置は，
前記転送部から無線信号により送信される前記実行結果を受信する第６受信部と，
前記第６受信部により受信された前記コマンドの実行結果を表示する表示部と，
をさらに備えているホームセキュリティシステム。
【請求項１０】
携帯装置と，住宅に設けられた住宅機器に接続される住宅機器装置と，該住宅機器装置にホームネットワークを介して接続されるホームサーバと，該ホームサーバと通信ネットワークを介して接続されるセキュリティ装置と，ワイヤレス認証局により所有または運営され，前記セキュリティ装置と通信ネットワークを介して接続されるワイヤレス認証装置とを有し，該住宅機器の状態の監視または操作を行うホームセキュリティシステムであって，
前記携帯装置は，
前記住宅機器の監視または操作のコマンドを入力する入力部と，
該携帯装置の所有者または該携帯装置に割り当てられた加入者識別子および前記ワイヤレス認証局により該所有者に発行される登録者識別子とを記憶する第１記憶部と，
前記第１記憶部に記憶された前記登録者識別子を無線信号により前記ワイヤレス認証装置に送信する第１送信部と，
前記第１記憶部に記憶された前記加入者識別子および前記入力部により入力された前記コマンドを無線信号により前記セキュリティ装置に送信する第２送信部と，
を備え，
前記ワイヤレス認証装置は，
前記ワイヤレス認証局により登録された登録者の登録者識別子および該登録者の認証データを記憶する第２記憶部と，
前記第１送信部により送信された前記登録者識別子を受信する第１受信部と，
前記第１受信部により受信された前記登録者識別子と，前記第２記憶部に記憶された前記登録者識別子とを比較する第１比較部と，
前記第１比較部による比較の結果，両登録者識別子が一致する場合に，該登録者識別子に対応する登録者の認証データを前記通信ネットワークを介して前記セキュリティ装置に送信する第３送信部と，
を備え，
前記セキュリティ装置は，
前記第２送信部により送信された前記加入者識別子および前記コマンドを受信する第２受信部と，
前記第３送信部により送信される前記認証データを受信する第３受信部と，
提供するセキュリティサービスに加入した加入者の加入者識別子を記憶する第３記憶部と，
前記第２受信部により受信された前記加入者識別子と，前記第３記憶部に記憶された前記加入者識別子とを比較する第２比較部と，
前記第２比較部による比較の結果，両加入者識別子が一致し，かつ，前記第３受信部により前記認証データが受信された場合に，前記第２受信部により受信された前記コマンドを前記通信ネットワークを介して前記ホームサーバに送信する第４送信部と，
を備え，
前記ホームサーバは，
前記第４送信部により送信されたコマンドを受信する第４受信部と，
前記第４受信部により受信された前記コマンドを前記ホームネットワークを介して前記住宅機器装置に送信する第５送信部と，
を備え，
前記住宅機器装置は，
前記第５送信部により送信された前記コマンドを受信する第５受信部と，
前記第５受信部により受信された前記コマンドを実行する実行部と，
を備えているホームセキュリティシステム。
【請求項１１】
請求の範囲第１０項において，
前記住宅機器装置は，前記実行部による前記コマンドの実行結果を前記ホームネットワークを介して前記ホームサーバに送信する第６送信部をさらに備え，
前記ホームサーバは，
前記第６送信部から送信された前記コマンドの実行結果を受信する第６受信部と，
前記第６受信部により受信された前記コマンドの実行結果を前記通信ネットワークを介して前記セキュリティ装置に送信する第７送信部と，
を備え，
前記セキュリティ装置は，前記第７送信部により送信された前記実行結果を前記携帯装置に転送する転送部をさらに備え，
前記携帯装置は，
前記転送部から無線信号により送信される前記実行結果を受信する第７受信部と，
前記第７受信部により受信された前記コマンドの実行結果を表示する表示部と，
をさらに備えているホームセキュリティシステム。
【請求項１２】
請求の範囲第１０項において，
前記住宅機器装置は，前記実行部による前記コマンドの実行結果を前記ホームネットワークを介して前記ホームサーバに送信する第６送信部をさらに備え，
前記ホームサーバは，
前記第６送信部から送信された前記コマンドの実行結果を受信する第７受信部と，
前記第７受信部により受信された前記コマンドの実行結果を前記携帯装置に無線信号により送信する第８送信部と，
を備え，
前記携帯装置は，
前記第８送信部から無線信号により送信される前記コマンドの実行結果を受信する第８受信部と，
前記第８受信部により受信された前記コマンドの実行結果を表示する表示部と，
をさらに備えているホームセキュリティシステム。
【請求項１３】
請求の範囲第１０項から第１２項のいずれか１項において，
前記ワイヤレス認証装置は，前記第１比較部による比較の結果，両登録者識別子が一致する場合に，該登録者識別子に対応する登録者から前記登録者識別子を受信したことをログとして記憶する第４記憶部をさらに備えている，
ホームセキュリティシステム。
【請求項１４】
請求の範囲第１０項から第１３項のいずれか１項において，
前記ホームサーバは前記住宅機器と一体に構成されている，ホームセキュリティシステム。
【請求項１５】
請求の範囲第１項から第１４項のいずれか１項において，
前記住宅機器はドアロック，家電機器，またはガス器具を含み，前記住宅機器の状態はドアロックの施錠もしくは解錠状態，家電機器の電源オンもしくはオフ状態，設定温度，もしくは設定動作モード，またはガス器具の点火もしくは消火状態を含み，前記住宅機器の操作はドアロックの施錠もしくは解錠操作，家電機器の電源オンもしくはオフ操作，設定温度の変更操作，もしくは動作モードの変更操作，またはガス器具の点火もしくは消火操作を含む，
ホームセキュリティシステム。
【請求項１６】
請求の範囲第１項から第１５項のいずれか１項において，
前記携帯装置が携帯電話または腕時計に組み込まれている，ホームセキュリティシステム。
【請求項１７】
請求の範囲第１６項において，
前記入力部は，前記携帯装置または腕時計の入力部が兼用される，ホームセキュリティシステム。
【請求項１８】
請求の範囲第３項，第６項，第９項，第１１項，または第１２項において，
前記携帯装置が，携帯電話または腕時計に組み込まれ，前記表示部は，前記携帯電話または前記腕時計の表示部が兼用される，ホームセキュリティシステム。
【請求項１９】
請求の範囲第３項，第６項，第９項，第１１項，第１２項，または第１８項において，
前記コマンドの実行結果は，前記住宅機器の状態もしくは操作の完了またはエラーメッセージを含む，ホームセキュリティシステム。
【請求項２０】
携帯装置と，住宅に設けられた住宅機器に接続される住宅機器装置とを有するホームセキュリティシステムによって実行される，該住宅機器の状態の監視または操作の方法であって，
前記住宅機器装置において，該住宅機器装置の識別子を無線信号により送信し，
前記携帯装置において，前記住宅機器装置から送信された前記住宅機器装置の識別子を受信し，
前記携帯装置において，前記受信した住宅機器装置の識別子と，該携帯装置にあらかじめ記憶された住宅機器装置の識別子とを比較し，比較の結果，両識別子が一致する場合に，該携帯装置の識別子と，該携帯装置の入力部により入力された住宅機器の監視または操作のコマンドとを無線信号により送信し，
前記住宅機器装置において，前記携帯装置から送信された前記携帯装置の識別子およびコマンドを受信し，
前記住宅機器装置において，前記受信した前記携帯装置の識別子と，該住宅機器装置にあらかじめ記憶された前記携帯装置の識別子とを比較し，比較の結果，両識別子が一致する場合に，前記受信したコマンドを実行する，
方法。
【請求項２１】
携帯装置と，住宅に設けられた住宅機器に接続される住宅機器装置と，該住宅機器装置にホームネットワークを介して接続されるホームサーバとを有するホームセキュリティシステムによって実行される，該住宅機器の状態の監視または操作の方法であって，
前記ホームサーバにおいて，該ホームサーバの識別子を無線信号により送信し，
前記携帯装置おいて，前記ホームサーバから送信されたホームサーバの識別子を受信し，
前記携帯装置おいて，前記受信した前記ホームサーバの識別子と，該携帯装置にあらかじめ記憶されたホームサーバの識別子とを比較し，比較の結果，両識別子が一致する場合に，該携帯装置の識別子と，該携帯装置の入力部により入力された住宅機器の監視または操作のコマンドとを無線信号により送信し，
前記ホームサーバにおいて，前記携帯装置から送信された携帯装置の識別子およびコマンドを受信し，
前記ホームサーバにおいて，前記受信した前記携帯装置の識別子と，該ホームサーバにあらかじめ記憶された前記携帯装置の識別子とを比較し，比較の結果，両識別子が一致する場合に，前記受信したコマンドを前記ホームネットワークを介して前記住宅機器装置に送信し，
前記住宅機器装置において，前記ホームサーバから前記ホームネットワークを介して送信された前記コマンドを受信し，
前記住宅機器装置において，前記受信した前記コマンドを実行する，
方法。
【請求項２２】
携帯装置と，住宅に設けられた住宅機器に接続される住宅機器装置と，該住宅機器装置にホームネットワークを介して接続されるホームサーバと，該ホームサーバと通信ネットワークを介して接続されるセキュリティ装置とを有するホームセキュリティシステムにより実行される，該住宅機器の状態の監視または操作を行う方法であって，
前記携帯装置において，あらかじめ記憶された，該携帯装置の所有者または該携帯装置に割り当てられた加入者識別子および該携帯装置の入力部により入力された前記住宅機器の監視または操作のコマンドを無線信号により前記セキュリティ装置に送信し，
前記セキュリティ装置において，前記携帯装置により送信された前記加入者識別子および前記コマンドを受信し，
前記セキュリティ装置において，あらかじめ記憶された，提供するホームセキュリティサービスに加入した加入者の加入者識別子と，前記受信した加入者識別子とを比較し，比較の結果，両加入者識別子が一致する場合に，前記受信した前記コマンドを前記通信ネットワークを介して前記ホームサーバに送信し，
前記ホームサーバにおいて，前記セキュリティ装置により送信された前記コマンドを受信し，
前記ホームサーバにおいて，前記受信した前記コマンドを前記ホームネットワークを介して前記住宅機器装置に送信し，
前記住宅機器装置において，前記ホームサーバにより送信された前記コマンドを受信し，
前記住宅機器装置において，前記受信した前記コマンドを実行する，
方法。
【請求項２３】
携帯装置と，住宅に設けられた住宅機器に接続される住宅機器装置と，該住宅機器装置にホームネットワークを介して接続されるホームサーバと，該ホームサーバと通信ネットワークを介して接続されるセキュリティ装置と，ワイヤレス認証局により所有または運営され，前記セキュリティ装置と通信ネットワークを介して接続されるワイヤレス認証装置とを有するホームセキュリティシステムによって実行される，該住宅機器の状態の監視または操作を行う方法であって，
前記携帯装置において，あらかじめ記憶された，該携帯装置の所有者または該携帯装置に割り当てられた加入者識別子および該携帯装置の入力部により入力された前記住宅機器の監視または操作のコマンドを無線信号により前記セキュリティ装置に送信するとともに，あらかじめ記憶された，前記ワイヤレス認証局により該所有者に発行される登録者識別子を無線信号により前記ワイヤレス認証装置に送信し，
前記ワイヤレス認証装置において，前記携帯装置により送信された前記登録者識別子を受信し，
前記ワイヤレス認証装置において，前記受信した前記登録者識別子と，あらかじめ記憶された，前記ワイヤレス認証局により登録された登録者の登録者識別子とを比較し，比較の結果，両登録者識別子が一致する場合に，あらかじめ記憶された，該登録者識別子に対応する登録者の認証データを前記通信ネットワークを介して前記セキュリティ装置に送信し，
前記セキュリティ装置において，前記携帯装置により送信された前記加入者識別子および前記コマンドを受信し，
前記セキュリティ装置において，前記受信した前記加入者識別子と，あらかじめ記憶された，提供するセキュリティサービスに加入した加入者の加入者識別子とを比較し，比較の結果，両加入者識別子が一致し，かつ，前記ワイヤレス認証装置により送信される前記認証データを受信した場合に，前記受信した前記コマンドを前記通信ネットワークを介して前記ホームサーバに送信し，
前記ホームサーバにおいて，前記セキュリティ装置により送信されたコマンドを受信し，
前記ホームサーバにおいて，前記受信した前記コマンドを前記ホームネットワークを介して前記住宅機器装置に送信し，
前記住宅機器装置において，前記ホームサーバにより送信された前記コマンドを受信し，
前記住宅機器装置において，前記受信した前記コマンドを実行する，
方法。
【請求項２４】
住宅に設けられた住宅機器に接続される住宅機器装置と無線通信を行い，該住宅機器の状態の監視または操作を行う携帯装置であって，
前記住宅機器の監視または操作のコマンドを入力する入力部と，
該携帯装置の識別子および前記住宅機器装置の識別子を記憶する記憶部と，
前記住宅機器装置から無線信号により送信された住宅機器装置の識別子を受信する受信部と，
前記受信部により受信された前記住宅機器装置の識別子と，前記記憶部に記憶された前記住宅機器装置の識別子とを比較する比較部と，
前記比較部による比較の結果，両識別子が一致する場合に，前記記憶部に記憶された前記携帯装置の識別子と，前記入力部により入力された前記コマンドとを前記住宅機器装置に無線信号により送信する送信部と，
を備えている携帯装置。
【請求項２５】
住宅に設けられた住宅機器に接続される住宅機器装置がホームネットワークを介して接続されるホームサーバと無線通信を行い，該住宅機器の状態の監視または操作を行う携帯装置であって，
前記住宅機器の監視または操作のコマンドを入力する入力部と，
該携帯装置の識別子および前記ホームサーバの識別子を記憶する記憶部と，
前記ホームサーバから無線信号により送信されたホームサーバの識別子を受信する受信部と，
前記受信部により受信された前記ホームサーバの識別子と，前記記憶部に記憶された前記ホームサーバの識別子とを比較する比較部と，
前記比較部による比較の結果，両識別子が一致する場合に，前記記憶部に記憶された前記携帯装置の識別子と，前記入力部により入力された前記コマンドとを前記ホームサーバに無線信号により送信する送信部と，
を備えている携帯装置。
【請求項２６】
住宅に設けられた住宅機器に接続され，携帯装置からの指令に従って該住宅機器の状態の監視または操作を行う住宅機器装置であって，
該住宅機器装置の識別子および前記携帯装置の識別子を記憶する記憶部と，
前記記憶部に記憶された前記住宅機器装置の識別子を無線信号により送信する送信部と，
前記携帯装置から送信された携帯装置の識別子およびコマンドを受信する受信部と，
前記受信部により受信された前記携帯装置の識別子と，前記第２記憶部に記憶された前記携帯装置の識別子とを比較する比較部と，
前記比較部による比較の結果，両識別子が一致する場合に，前記第２受信部により受信された前記コマンドを実行する実行部と，
を備えている住宅機器装置。
【請求項２７】
住宅に設けられた住宅機器に接続された住宅機器装置にホームネットワークを介して接続され，携帯装置からの指令に従って該住宅機器の状態の監視または操作を行うホームサーバであって，
該ホームサーバの識別子および前記携帯装置の識別子を記憶する記憶部と，
前記記憶部に記憶された前記ホームサーバの識別子を無線信号により送信する送信部と，
前記携帯装置から無線信号により送信された携帯装置の識別子と，前記住宅機器の監視または操作のコマンドとを受信する受信部と，
前記受信部により受信された前記携帯装置の識別子と，前記記憶部に記憶された前記携帯装置の識別子とを比較する比較部と，
前記比較部による比較の結果，両識別子が一致する場合に，前記受信部により受信された前記コマンドを前記ホームネットワークを介して前記住宅機器装置に送信する送信部と，
を備えているホームサーバ。
【請求項２８】
住宅に設けられた住宅機器に接続された住宅機器装置とホームネットワークを介して接続されるホームサーバに，通信ネットワークを介して接続され，携帯装置からの指令に基づいて前記住宅機器の状態の監視または操作を行うセキュリティ装置であって，
提供するホームセキュリティサービスに加入した加入者の加入者識別子を記憶する第１記憶部と，
前記携帯装置から無線信号により送信された，該携帯装置の所有者または該携帯装置に割り当てられた加入者識別子と，前記住宅機器の監視または操作のコマンドとを受信する第１受信部と，
前記受信部により受信された加入者識別子と，前記記憶部に記憶された加入者識別子とを比較する第１比較部と，
前記比較部による比較の結果，両加入者識別子が一致する場合に，前記受信部により受信された前記コマンドを前記通信ネットワークを介して前記ホームサーバまたは住宅機器装置に送信する送信部と，
を備えているセキュリティ装置。
【請求項２９】
請求の範囲第２８項において，
ワイヤレス認証局により登録された登録者の登録者識別子および該登録者の認証データを記憶する第２記憶部と，
前記携帯装置から無線信号により送信された，該携帯装置の所有者または該携帯装置の登録者識別子を受信する第２受信部と，
前記第２受信部により受信された前記登録者識別子と，前記第２記憶部に記憶された前記登録者識別子とを比較する第２比較部と，
前記第２比較部による比較の結果，両登録者識別子が一致する場合に，該登録者識別子に対応する登録者の認証データを発行する発行部と，
をさらに備え，
前記送信部は，前記比較部による比較の結果，両加入者識別子が一致し，かつ，前記発行部により前記認証データが発行された場合に，前記コマンドを送信する，
セキュリティ装置。
【発明の詳細な説明】
【技術分野】  本発明は，ホームセキュリティシステムおよび住宅機器の状態の監視または操作を行う方法に関し，特に，第三者の不正なアクセスを防止できるホームセキュリティシステムおよび住宅機器の状態の監視または操作を行う方法に関する。
また，本発明は，ホームセキュリティシステムに使用される携帯装置，住宅危機装置，ホームサーバ，およびセキュリティ装置に関する。
【背景技術】  一般に，住宅の住人は，自宅を出る際に，玄関ドアの施錠，自宅内の照明器具の消灯，ガス機器の消火等の状態を確認してから出かける。しかし，玄関ドアを施錠したかどうか，照明器具を消灯したかどうか等の記憶が定かでない場合も少なからずあり，そのような場合には，出かけた後に確認したいことがよくある。
このような場合に，一旦自宅に戻って確認するのは，時間を要し，また交通費等の費用を要する場合もあり，住人にとって大きな負担となる。また，たとえば所定の時刻に会議に出席する等の仕事や約束がある場合には，帰宅して確認することが事実上不可能な場合もある。
さらに，自宅のドアロック，照明器具，ガス機器等の住宅機器の状態を変更したい場合もある。たとえば，玄関ドアのロックが施錠されていないことが判明した場合には，施錠する必要がある。このような場合にも，一旦自宅に戻って操作するには，同様の負担が生じ，事実上不可能な場合もある。また，真夏の時期には，帰宅前にエアコンをあらかじめ作動させておき，帰宅時には部屋を涼しくしておきたい場合もある。
このような背景から，自宅の住宅機器の状態を遠隔で確認（監視）でき，また，遠隔で操作したいという要望がある。
一方，自宅の住宅機器の状態確認や操作を，不正な第三者が遠隔操作により行うことを有効に防止する必要もある。したがって，自宅の住宅機器の遠隔監視および操作は自宅の住人のみができ，第三者には認めないというセキュリティの実現に対する要望もある。
【発明の開示】
本発明は，第三者による住宅の住宅機器への不正なアクセスを防止できるホームセキュリティシステムを提供することにある。
また，本発明は，住宅の住人等が自宅の住宅機器の状態を確認し，または，操作できるホームセキュリティシステムを提供することを目的とする。
本発明の第１の側面によるホームセキュリティシステムは，携帯装置と，住宅に設けられた住宅機器に接続される住宅機器装置とを有し，該住宅機器の状態の監視または操作を行うホームセキュリティシステムであって，前記携帯装置は，前記住宅機器の監視または操作のコマンドを入力する入力部と，該携帯装置の識別子および前記住宅機器装置の識別子を記憶する第１記憶部と，前記住宅機器装置から無線信号により送信された住宅機器装置の識別子を受信する第１受信部と，前記第１受信部により受信された前記住宅機器装置の識別子と，前記第１記憶部に記憶された前記住宅機器装置の識別子とを比較する第１比較部と，前記第１比較部による比較の結果，両識別子が一致する場合に，前記第１記憶部に記憶された前記携帯装置の識別子と，前記入力部により入力された前記コマンドとを無線信号により送信する第１送信部と，を備え，前記住宅機器装置は，該住宅機器装置の識別子および前記携帯装置の識別子を記憶する第２記憶部と，前記第２記憶部に記憶された前記住宅機器装置の識別子を無線信号により送信する第２送信部と，前記第１送信部から送信された携帯装置の識別子およびコマンドを受信する第２受信部と，前記第２受信部により受信された前記携帯装置の識別子と，前記第２記憶部に記憶された前記携帯装置の識別子とを比較する第２比較部と，前記第２比較部による比較の結果，両識別子が一致する場合に，前記第２受信部により受信された前記コマンドを実行する実行部と，を備えている。
本発明の第１の側面による住宅機器の状態の監視または操作の方法は，携帯装置と，住宅に設けられた住宅機器に接続される住宅機器装置とを有するホームセキュリティシステムによって実行される，該住宅機器の状態の監視または操作の方法であって，前記住宅機器装置において，該住宅機器装置の識別子を無線信号により送信し，前記携帯装置において，前記住宅機器装置から送信された前記住宅機器装置の識別子を受信し，前記携帯装置において，前記受信した住宅機器装置の識別子と，該携帯装置にあらかじめ記憶された住宅機器装置の識別子とを比較し，比較の結果，両識別子が一致する場合に，該携帯装置の識別子と，該携帯装置の入力部により入力された住宅機器の監視または操作のコマンドとを無線信号により送信し，前記住宅機器装置において，前記携帯装置から送信された前記携帯装置の識別子およびコマンドを受信し，前記住宅機器装置において，前記受信した前記携帯装置の識別子と，該住宅機器装置にあらかじめ記憶された前記携帯装置の識別子とを比較し，比較の結果，両識別子が一致する場合に，前記受信したコマンドを実行するものである。
本発明の第２の側面によるホームセキュリティシステムは，携帯装置と，住宅に設けられた住宅機器に接続される住宅機器装置と，該住宅機器装置にホームネットワークを介して接続されるホームサーバとを有し，該住宅機器の状態の監視または操作を行うホームセキュリティシステムであって，前記携帯装置は，前記住宅機器の監視または操作のコマンドを入力する入力部と，該携帯装置の識別子および前記ホームサーバの識別子を記憶する第１記憶部と，前記ホームサーバから無線信号により送信されるホームサーバの識別子を受信する第１受信部と，前記第１受信部により受信された前記ホームサーバの識別子と，前記第１記憶部に記憶された前記ホームサーバの識別子とを比較する第１比較部と，前記第１比較部による比較の結果，両識別子が一致する場合に，前記第１記憶部に記憶された前記携帯装置の識別子と，前記入力部により入力された前記コマンドとを無線信号により送信する第１送信部と，を備え，前記ホームサーバは，該ホームサーバの識別子および前記携帯装置の識別子を記憶する第２記憶部と，前記第２記憶部に記憶された前記ホームサーバの識別子を無線信号により送信する第２送信部と，前記第１送信部から送信された携帯装置の識別子およびコマンドを受信する第２受信部と，前記第２受信部により受信された前記携帯装置の識別子と，前記第２記憶部に記憶された前記携帯装置の識別子とを比較する第２比較部と，前記第２比較部による比較の結果，両識別子が一致する場合に，前記第２受信部により受信された前記コマンドを前記ホームネットワークを介して前記住宅機器装置に送信する第３送信部と，を備え，前記住宅機器装置は，前記第３送信部により送信された前記コマンドを受信する第３受信部と，前記第３受信部により受信された前記コマンドを実行する実行部と，を備えている。
本発明の第２の側面による住宅機器の状態の監視または操作の方法は，携帯装置と，住宅に設けられた住宅機器に接続される住宅機器装置と，該住宅機器装置にホームネットワークを介して接続されるホームサーバとを有するホームセキュリティシステムによって実行される，該住宅機器の状態の監視または操作の方法であって，前記ホームサーバにおいて，該ホームサーバの識別子を無線信号により送信し，前記携帯装置おいて，前記ホームサーバから送信されたホームサーバの識別子を受信し，前記携帯装置おいて，前記受信した前記ホームサーバの識別子と，該携帯装置にあらかじめ記憶されたホームサーバの識別子とを比較し，比較の結果，両識別子が一致する場合に，該携帯装置の識別子と，該携帯装置の入力部により入力された住宅機器の監視または操作のコマンドとを無線信号により送信し，前記ホームサーバにおいて，前記携帯装置から送信された携帯装置の識別子およびコマンドを受信し，前記ホームサーバにおいて，前記受信した前記携帯装置の識別子と，該ホームサーバにあらかじめ記憶された前記携帯装置の識別子とを比較し，比較の結果，両識別子が一致する場合に，前記受信したコマンドを前記ホームネットワークを介して前記住宅機器装置に送信し，前記住宅機器装置において，前記ホームサーバから前記ホームネットワークを介して送信された前記コマンドを受信し，前記住宅機器装置において，前記受信した前記コマンドを実行するものである。
本発明の第３の側面によるホームセキュリティシステムは，携帯装置と，住宅に設けられた住宅機器に接続される住宅機器装置と，該住宅機器装置にホームネットワークを介して接続されるホームサーバと，該ホームサーバと通信ネットワークを介して接続されるセキュリティ装置とを有し，該住宅機器の状態の監視または操作を行うホームセキュリティシステムであって，前記携帯装置は，前記住宅機器の監視または操作のコマンドを入力する入力部と，該携帯装置の所有者または該携帯装置に割り当てられた加入者識別子を記憶する第１記憶部と，前記第１記憶部に記憶された前記加入者識別子および前記入力部により入力された前記コマンドを無線信号により前記セキュリティ装置に送信する第１送信部と，を備え，前記セキュリティ装置は，前記第１送信部により送信された前記加入者識別子および前記コマンドを受信する第１受信部と，提供するホームセキュリティサービスに加入した加入者の加入者識別子を記憶する第２記憶部と，前記第１受信部により受信された加入者識別子と，前記第２記憶部に記憶された加入者識別子とを比較する第１比較部と，前記第１比較部による比較の結果，両加入者識別子が一致する場合に，前記第１受信部により受信された前記コマンドを前記通信ネットワークを介して前記ホームサーバに送信する第２送信部と，を備え，前記ホームサーバは，前記第２送信部により送信されたコマンドを受信する第３受信部と，前記第３受信部により受信された前記コマンドを前記ホームネットワークを介して前記住宅機器装置に送信する第３送信部と，を備え，前記住宅機器装置は，前記第３送信部により送信された前記コマンドを受信する第４受信部と，前記第４受信部により受信された前記コマンドを実行する実行部と，を備えている。
本発明の第３の側面による住宅機器の状態の監視または操作を行う方法は，携帯装置と，住宅に設けられた住宅機器に接続される住宅機器装置と，該住宅機器装置にホームネットワークを介して接続されるホームサーバと，該ホームサーバと通信ネットワークを介して接続されるセキュリティ装置とを有するホームセキュリティシステムにより実行される，該住宅機器の状態の監視または操作を行う方法であって，前記携帯装置において，あらかじめ記憶された，該携帯装置の所有者または該携帯装置に割り当てられた加入者識別子および該携帯装置の入力部により入力された前記住宅機器の監視または操作のコマンドを無線信号により前記セキュリティ装置に送信し，前記セキュリティ装置において，前記携帯装置により送信された前記加入者識別子および前記コマンドを受信し，前記セキュリティ装置において，あらかじめ記憶された，提供するホームセキュリティサービスに加入した加入者の加入者識別子と，前記受信した加入者識別子とを比較し，比較の結果，両加入者識別子が一致する場合に，前記受信した前記コマンドを前記通信ネットワークを介して前記ホームサーバに送信し，前記ホームサーバにおいて，前記セキュリティ装置により送信された前記コマンドを受信し，前記ホームサーバにおいて，前記受信した前記コマンドを前記ホームネットワークを介して前記住宅機器装置に送信し，前記住宅機器装置において，前記ホームサーバにより送信された前記コマンドを受信し，前記住宅機器装置において，前記受信した前記コマンドを実行するものである。
本発明の第４の側面によるホームセキュリティシステムは，携帯装置と，住宅に設けられた住宅機器に接続される住宅機器装置と，該住宅機器装置にホームネットワークを介して接続されるホームサーバと，該ホームサーバと通信ネットワークを介して接続されるセキュリティ装置と，ワイヤレス認証局により所有または運営され，前記セキュリティ装置と通信ネットワークを介して接続されるワイヤレス認証装置とを有し，該住宅機器の状態の監視または操作を行うホームセキュリティシステムであって，前記携帯装置は，前記住宅機器の監視または操作のコマンドを入力する入力部と，該携帯装置の所有者または該携帯装置に割り当てられた加入者識別子および前記ワイヤレス認証局により該所有者に発行される登録者識別子とを記憶する第１記憶部と，前記第１記憶部に記憶された前記登録者識別子を無線信号により前記ワイヤレス認証装置に送信する第１送信部と，前記第１記憶部に記憶された前記加入者識別子および前記入力部により入力された前記コマンドを無線信号により前記セキュリティ装置に送信する第２送信部と，を備え，前記ワイヤレス認証装置は，前記ワイヤレス認証局により登録された登録者の登録者識別子および該登録者の認証データを記憶する第２記憶部と，前記第１送信部により送信された前記登録者識別子を受信する第１受信部と，前記第１受信部により受信された前記登録者識別子と，前記第２記憶部に記憶された前記登録者識別子とを比較する第１比較部と，前記第１比較部による比較の結果，両登録者識別子が一致する場合に，該登録者識別子に対応する登録者の認証データを前記通信ネットワークを介して前記セキュリティ装置に送信する第３送信部と，を備え，前記セキュリティ装置は，前記第２送信部により送信された前記加入者識別子および前記コマンドを受信する第２受信部と，前記第３送信部により送信される前記認証データを受信する第３受信部と，提供するセキュリティサービスに加入した加入者の加入者識別子を記憶する第３記憶部と，前記第２受信部により受信された前記加入者識別子と，前記第３記憶部に記憶された前記加入者識別子とを比較する第２比較部と，前記第２比較部による比較の結果，両加入者識別子が一致し，かつ，前記第３受信部により前記認証データが受信された場合に，前記第２受信部により受信された前記コマンドを前記通信ネットワークを介して前記ホームサーバに送信する第４送信部と，を備え，前記ホームサーバは，前記第４送信部により送信されたコマンドを受信する第４受信部と，前記第４受信部により受信された前記コマンドを前記ホームネットワークを介して前記住宅機器装置に送信する第５送信部と，を備え，前記住宅機器装置は，前記第５送信部により送信された前記コマンドを受信する第５受信部と，前記第５受信部により受信された前記コマンドを実行する実行部と，を備えている。
本発明の第４の側面による住宅機器の状態の監視または操作を行う方法は，携帯装置と，住宅に設けられた住宅機器に接続される住宅機器装置と，該住宅機器装置にホームネットワークを介して接続されるホームサーバと，該ホームサーバと通信ネットワークを介して接続されるセキュリティ装置と，ワイヤレス認証局により所有または運営され，前記セキュリティ装置と通信ネットワークを介して接続されるワイヤレス認証装置とを有するホームセキュリティシステムによって実行される，該住宅機器の状態の監視または操作を行う方法であって，前記携帯装置において，あらかじめ記憶された，該携帯装置の所有者または該携帯装置に割り当てられた加入者識別子および該携帯装置の入力部により入力された前記住宅機器の監視または操作のコマンドを無線信号により前記セキュリティ装置に送信するとともに，あらかじめ記憶された，前記ワイヤレス認証局により該所有者に発行される登録者識別子を無線信号により前記ワイヤレス認証装置に送信し，前記ワイヤレス認証装置において，前記携帯装置により送信された前記登録者識別子を受信し，前記ワイヤレス認証装置において，前記受信した前記登録者識別子と，あらかじめ記憶された，前記ワイヤレス認証局により登録された登録者の登録者識別子とを比較し，比較の結果，両登録者識別子が一致する場合に，あらかじめ記憶された，該登録者識別子に対応する登録者の認証データを前記通信ネットワークを介して前記セキュリティ装置に送信し，前記セキュリティ装置において，前記携帯装置により送信された前記加入者識別子および前記コマンドを受信し，前記セキュリティ装置において，前記受信した前記加入者識別子と，あらかじめ記憶された，提供するセキュリティサービスに加入した加入者の加入者識別子とを比較し，比較の結果，両加入者識別子が一致し，かつ，前記ワイヤレス認証装置により送信される前記認証データを受信した場合に，前記受信した前記コマンドを前記通信ネットワークを介して前記ホームサーバに送信し，前記ホームサーバにおいて，前記セキュリティ装置により送信されたコマンドを受信し，前記ホームサーバにおいて，前記受信した前記コマンドを前記ホームネットワークを介して前記住宅機器装置に送信し，前記住宅機器装置において，前記ホームサーバにより送信された前記コマンドを受信し，前記住宅機器装置において，前記受信した前記コマンドを実行するものである。
本発明の第５の側面による携帯装置は，住宅に設けられた住宅機器に接続される住宅機器装置と無線通信を行い，該住宅機器の状態の監視または操作を行う携帯装置であって，前記住宅機器の監視または操作のコマンドを入力する入力部と，該携帯装置の識別子および前記住宅機器装置の識別子を記憶する記憶部と，前記住宅機器装置から無線信号により送信された住宅機器装置の識別子を受信する受信部と，前記受信部により受信された前記住宅機器装置の識別子と，前記記憶部に記憶された前記住宅機器装置の識別子とを比較する比較部と，前記比較部による比較の結果，両識別子が一致する場合に，前記記憶部に記憶された前記携帯装置の識別子と，前記入力部により入力された前記コマンドとを前記住宅機器装置に無線信号により送信する送信部と，を備えている。
本発明の第６の側面による携帯装置は，住宅に設けられた住宅機器に接続される住宅機器装置がホームネットワークを介して接続されるホームサーバと無線通信を行い，該住宅機器の状態の監視または操作を行う携帯装置であって，前記住宅機器の監視または操作のコマンドを入力する入力部と，該携帯装置の識別子および前記ホームサーバの識別子を記憶する記憶部と，前記ホームサーバから無線信号により送信されたホームサーバの識別子を受信する受信部と，前記受信部により受信された前記ホームサーバの識別子と，前記記憶部に記憶された前記ホームサーバの識別子とを比較する比較部と，前記比較部による比較の結果，両識別子が一致する場合に，前記記憶部に記憶された前記携帯装置の識別子と，前記入力部により入力された前記コマンドとを前記ホームサーバに無線信号により送信する送信部と，を備えている。
本発明の第７の側面による住宅機器装置は，住宅に設けられた住宅機器に接続され，携帯装置からの指令に従って該住宅機器の状態の監視または操作を行う住宅機器装置であって，該住宅機器装置の識別子および前記携帯装置の識別子を記憶する記憶部と，前記記憶部に記憶された前記住宅機器装置の識別子を無線信号により送信する送信部と，前記携帯装置から送信された携帯装置の識別子およびコマンドを受信する受信部と，前記受信部により受信された前記携帯装置の識別子と，前記第２記憶部に記憶された前記携帯装置の識別子とを比較する比較部と，前記比較部による比較の結果，両識別子が一致する場合に，前記第２受信部により受信された前記コマンドを実行する実行部と，を備えている。
本発明の第８の側面によるホームサーバは，住宅に設けられた住宅機器に接続された住宅機器装置にホームネットワークを介して接続され，携帯装置からの指令に従って該住宅機器の状態の監視または操作を行うホームサーバであって，該ホームサーバの識別子および前記携帯装置の識別子を記憶する記憶部と，前記記憶部に記憶された前記ホームサーバの識別子を無線信号により送信する送信部と，前記携帯装置から無線信号により送信された携帯装置の識別子と，前記住宅機器の監視または操作のコマンドとを受信する受信部と，前記受信部により受信された前記携帯装置の識別子と，前記記憶部に記憶された前記携帯装置の識別子とを比較する比較部と，前記比較部による比較の結果，両識別子が一致する場合に，前記受信部により受信された前記コマンドを前記ホームネットワークを介して前記住宅機器装置に送信する送信部と，を備えている。
本発明の第９の側面によるセキュリティ装置は，住宅に設けられた住宅機器に接続された住宅機器装置とホームネットワークを介して接続されるホームサーバに，通信ネットワークを介して接続され，携帯装置からの指令に基づいて前記住宅機器の状態の監視または操作を行うセキュリティ装置であって，提供するホームセキュリティサービスに加入した加入者の加入者識別子を記憶する第１記憶部と，前記携帯装置から無線信号により送信された，該携帯装置の所有者または該携帯装置に割り当てられた加入者識別子と，前記住宅機器の監視または操作のコマンドとを受信する第１受信部と，前記受信部により受信された加入者識別子と，前記記憶部に記憶された加入者識別子とを比較する第１比較部と，前記比較部による比較の結果，両加入者識別子が一致する場合に，前記受信部により受信された前記コマンドを前記通信ネットワークを介して前記ホームサーバまたは住宅機器装置に送信する送信部と，を備えている。
【図面の簡単な説明】  図１は，住宅の住人が外出する際に住宅の状況を携帯電話で確認する様子，または，住宅の玄関ドアのドアロック等を携帯電話で遠隔操作する様子を示す。
図２は，本発明の第１の実施の形態によるホームセキュリティシステムの構成を示すブロック図である。
図３は，本発明の第１の実施の形態における携帯電話モジュールの処理装置のメモリに記憶されたデータを示す。
図４は，本発明の第１の実施の形態によるホームセキュリティシステムの処理の流れを示すフローチャートである。
図５は，本発明の第２の実施の形態によるホームセキュリティシステムの構成を示すブロック図である。
図６は，本発明の第２の実施の形態によるホームセキュリティシステムの処理の流れを示すフローチャートである。
図７は，本発明の第３の実施の形態によるホームセキュリティシステムに構成を示すブロック図である。
図８は，本発明の第３の実施の形態におけるセキュリティサーバが保持する加入者情報テーブルの一例を示す。
図９は，本発明の第３の実施の形態によるホームセキュリティシステムの処理の流れを示すシーケンス図である。
図１０は，本発明の第４の実施の形態によるホームセキュリティシステムの構成を示すブロック図である。
図１１は，本発明の第４の実施の形態におけるワイヤレス認証サーバが保持するワイヤレス電子認証情報テーブルの一例を示す。
図１２は，本発明の第４の実施の形態によるホームセキュリティシステムの処理の流れを示すシーケンス図である。
【発明を実施するための最良の形態】  本発明の実施の形態によるホームセキュリティシステムについて，図１に示すように，住宅Ｈの住人（ユーザ）Ｐが外出する際に住宅Ｈに設置された１または２以上の機器（以下「住宅機器」という）の状況を自己の携帯電話Ｃで確認（遠隔監視）し，あるいは，住宅Ｈの住宅機器を携帯電話Ｃで遠隔操作する実施の形態について説明する。
住宅機器には，玄関のドアロック，ガス器具（たとえばガスレンジ，ガスファンヒータ等），家電機器（たとえば照明器具，エアコン，テレビ，ステレオ，電子レンジ，冷蔵庫，電話機，コタツ，洗濯機等）等が含まれる。
携帯電話Ｃには，図示しないホームセキュリティ確認ボタンが設けられている。住人Ｐがこのホームセキュリティ確認ボタンを押すと，住宅機器選択メニューが携帯電話ＣのＬＣＤに表示され，住人Ｐは，状態を確認したい住宅機器を選択することができる。すべての住宅機器を選択することもできるし，一部の住宅機器を選択することもできる。
住人Ｐが住宅機器を選択することにより，携帯電話Ｃは，選択された住宅機器の状態を遠隔で確認し，その液晶ディスプレイ（ＬＣＤ）に表示する。たとえば，住宅Ｈの玄関のドアロックの状態（施錠／解錠），ガス器具の状態（点火／消火，設定温度等），家電機器の状態（オン／オフ，設定温度等）等がＬＣＤに表示される。
また，携帯電話Ｃには，図示しない住宅機器操作ボタンが設けられ，住人Ｐがこのボタンを押すと，操作選択メニューが携帯電話ＣのＬＣＤに表示され，住人Ｐは操作を選択することができる。選択できる操作には，たとえば，玄関のドアロックの施錠および解錠，ガス器具の点火および消火，設定温度の変更，家電機器のオンおよびオフ，設定温度の変更，設定モード（たとえばエアコンの冷房，除湿，暖房，送風等のモード）の変更等が含まれる。
住人Ｐが操作を選択することにより，携帯電話Ｃは，住宅Ｈ内の住宅機器を遠隔で操作し，操作結果（操作完了通知等）をＬＣＤに表示する。
セキュリティ確認ボタンおよび住宅機器操作ボタンは，携帯電話Ｃに設けられるハードウェアのボタンであってもよいし，携帯電話ＣのＬＣＤに表示されるソフトウェアのボタンであってもよい。
以下，このホームセキュリティシステムについて，複数の実施の形態に分けてそれぞれ詳述する。
＜第１の実施の形態＞
本発明の第１の実施の形態は，携帯電話Ｃが住宅機器と無線により直接通信して，住宅機器の状態確認（監視）および操作を行うものである。
図２は，第１の実施の形態によるホームセキュリティシステムの構成を示すブロック図である。この第１の実施の形態によるホームセキュリティシステムは，携帯電話モジュール１，玄関ドアモジュール２，ガスレンジモジュール３，照明モジュール４，エアコンモジュール５等を有する。
携帯電話モジュール１は，住宅Ｈの住人Ｐが所持する携帯電話Ｃ（図１参照）に内蔵されている。玄関ドアモジュール２，ガスレンジモジュール３，照明モジュール４，およびエアコンモジュール５は，それぞれ，住宅Ｈに設置された玄関ドアのドアロック，ガスレンジ，照明器具，およびエアコンに内蔵されている。これら玄関ドア，ガスレンジ，照明器具，およびエアコンは，住宅Ｈに設けられた機器の一例であって，これら以外の機器（たとえば電子レンジ，冷蔵庫，電話機，コタツ，洗濯機等）にも同様のモジュールが設けられていてもよく，この場合には，これらの機器の状態も携帯電話Ｃで確認（遠隔監視）することができるし，これらの機器を携帯電話Ｃにより操作することもできる。
携帯電話モジュール１は，処理装置１１，液晶ディスプレイドライバ（ＬＣＤドライバ）１２，液晶ディスプレイ（ＬＣＤ）１３，移動無線通信装置１４，アンテナ１４ａ，入力装置１５，無線通信装置（ＲＦ装置）１６，およびアンテナ１６ａを有する。
処理装置１１，ＬＣＤドライバ１２，ＬＣＤ１３，移動無線通信装置１４，アンテナ１４ａ，および入力装置１５からなる回路モジュール１０は，携帯電話Ｃが本来有する回路モジュールを利用することができ，これを利用することにより，携帯電話Ｃには，ＲＦ装置１６およびアンテナ１６ａのみを付加すればよく，携帯電話Ｃの小型軽量化に寄与することができる。この場合には，ＲＦ装置１６およびアンテナ１６ａは，携帯電話Ｃにあらかじめ内蔵される形態に加えて，外部から装着する形態であってもよい。
また，移動無線通信装置１４にＲＦ装置１６の機能を組み込むことにより，ＲＦ装置１６を省略することもできる。この場合には，アンテナ１４ａをアンテナ１６ａと兼用することもできる。
処理装置１１は，ＣＰＵまたはマイクロコンピュータ（図示略）と，ＣＰＵまたはマイクロコンピュータにより実行されるプログラムを記憶したメモリ（ＲＡＭ，ＲＯＭ等）（図示略）とを有する。処理装置１１は，１チップの集積回路素子により構成することもできるし，複数の回路素子が基板に搭載された回路モジュールにより構成することもできる。
処理装置１１のメモリには，プログラムに加えて，ホームセキュリティの処理に使用される携帯電話Ｃ（または携帯電話モジュール１）の識別子（以下「携帯電話ＩＤ」という。）と各住宅機器の識別子のテーブル（以下「ＩＤテーブル」という。）が記憶されている。
図３は，処理装置１１のメモリに記憶されたデータを示している。上述したように，プログラム，携帯電話ＩＤ，およびＩＤテーブルが記憶されている。ＩＤテーブルには，住宅機器（または住宅機器のモジュール）のＩＤ（住宅機器ＩＤ）が含まれる。
図３では，一例として，玄関ドアロック２ａ（玄関ドアモジュール２）の識別子（玄関ドアＩＤ），ガスレンジ３ａ（ガスレンジモジュール３）の識別子（ガスレンジＩＤ），照明モ器具４ａ（照明ジュール４）の識別子（証明ＩＤ），エアコン５ａ（エアコンモジュール５）の識別子（エアコンＩＤ）等がＩＤテーブルに含まれる。
携帯電話ＩＤおよびＩＤテーブルに含まれる各住宅機器ＩＤはそれぞれ異なり，このＩＤによって，どのモジュールであるか（すなわち携帯電話かどの住宅機器か）を一意に識別できるようになっている。
処理装置１１は，自己のメモリに記憶されたプログラムを実行して，携帯電話Ｃの所定の通信処理等を実行するとともに，本実施の形態によるホームセキュリティに関する処理を実行する。このホームセキュリティに関する処理には，前述した住宅機器の状態の監視および住宅機器の操作が含まれる。これらの処理の詳細については後述する。
図２に戻って，ＬＣＤドライバ１２は，ＬＣＤ１３を駆動制御して，処理装置１１から与えられるデータをＬＣＤ１３に表示する。移動無線通信装置１４は，アンテナ１４ａおよび移動通信ネットワークを介して行われる無線通信に必要な通信処理（プロトコルの処理，変調，周波数変換，増幅等）を行う。
入力装置１５は，たとえば携帯電話Ｃに設けられた電話番号，電子メールの文字等の入力ボタンであり，ホームセキュリティ確認ボタン，住宅機器操作ボタンも兼用する。
処理装置１１は，ホームセキュリティ確認ボタンの操作により入力されたデータを，状態確認コマンドと，住人Ｐにより指定された状態確認対象の住宅機器（すべてまたは一部）の住宅機器ＩＤとに変換し，自己のメモリに記憶する。住宅機器ＩＤへの変換の際に，ＩＤテーブル（図３参照）が処理装置１１により参照される。
状態確認コマンドには，たとえば，ドアロック２ａについては施錠／解錠状態確認コマンド，エアコン５ａについてはＯＮ／ＯＦＦ状態確認コマンド，設定温度確認コマンド，動作モード確認コマンド等がある。
また，処理装置１５は，住宅機器操作ボタンの操作により入力されたデータを，操作コマンドと，住人Ｐにより指定された操作対象の住宅機器（すべてまたは一部）の住宅機器ＩＤとに変換し，自己のメモリに記憶する。住宅機器ＩＤへの変換の際に，ＩＤテーブル（図３参照）が処理装置１５によって参照される。
操作コマンドには，たとえば，ドアロック２ａについては施錠コマンドおよび解錠コマンド，エアコン５ａについてはＯＮコマンド，ＯＦＦコマンド，温度変更コマンド，動作モード変更コマンド等がある。また，パラメータが付加される操作コマンドもある。たとえば，エアコン５ａの温度変更コマンドには，設定温度を指定するパラメータが付加される。エアコン５ａの動作モード変更コマンドには，冷房，暖房，送風，または除湿の動作モードがパラメータとして付加される。
ＲＦ装置１６は，処理装置１１から与えられたベースバンド信号（データ）をアンテナ１６ａを介して無線信号により送信するとともに，アンテナ１６ａにより受信された無線信号をベースバンド信号に変換して，処理装置１１に与える。このため，ＲＦ装置１６は，変調，周波数変換，増幅等の処理を行う。無線信号の周波数（無線周波数：ＲＦ）には，たとえば数百ＭＨｚまたは数ＧＨｚの所定の周波数帯域（たとえば３００ＭＨｚ帯，２．４ＧＨｚ帯等）が使用される。
ＲＦ装置１６の送信電力は，住宅機器と通信可能な距離に依存して設定される。本実施の形態では，一例として，通信可能な距離を数ｍ〜数十ｍ（近接距離）以内とし，送信電力は数ｍＷ程度に設定される。したがって，携帯電話Ｃを所持する住人Ｐは，住宅Ｈ内や住宅Ｈから出て数ｍ〜数十ｍ以内の距離で，本実施の形態によるホームセキュリティの操作を，携帯電話Ｃを使用して行うことができる。
また，ＲＦ装置１６は，内部のメモリにＭ系列（Ｍａｘｉｍｕｍ  ｌｅｎｇｔｈ  ｎｕｌｌｓｅｑｕｅｎｃｅ）データを記憶している。そして，ＲＦ装置１６は，このＭ系列データを無線信号により送信する。Ｍ系列データは，２値擬似不規則信号の一種であり，ｎを正の整数とすると（２ｎ−１）の長さを有する１と０からなる符号列（コード）であって，たとえばｎ＝５であれば３１ビットのデータである。本実施の形態では，Ｍ系列データは，住宅機器への呼びかけ信号（一種のプリアンブル信号）として利用される。
玄関ドアモジュール２は，処理装置２１，センサ２２，ＲＦ装置２３，およびアンテナ２３ａを有する。図２では，玄関ドアモジュール２のみの詳細な構成を示しているが，ガスレンジモジュール３，照明モジュール４，エアコンモジュール５等も，制御／監視対象がガスレンジ３ａ等のように異なるだけで，同様の構成を有し，以下に述べる玄関ドアモジュール２の説明が当て嵌まる。したがって，以下では，玄関ドアモジュール２について詳細に説明し，他のガスレンジモジュール３等については，その説明を省略することとする。
センサ２２は，玄関ドアのドアロック（電子ロック）２ａの施錠および解錠の状態を検出し，ドアロック２ａがいずれの状態であるかを処理装置２１に通知する。たとえば，ドアロック２ａが施錠状態にある場合にはハイレベルの信号が処理装置２１に与えられ，ドアロック２ａが解錠状態にある場合にはローレベルの信号が処理装置２１に与えられる。
ＲＦ装置２３は，携帯電話モジュール１のＲＦ装置１６とほぼ同様の機能および構成を有し，処理装置２１から与えられたベースバンド信号（データ）をアンテナ２３ａを介して無線信号により送信するとともに，アンテナ２３ａにより受信された無線信号をベースバンド信号に変換して，処理装置２１に与える。このため，ＲＦ装置２３は，変調，周波数変換，増幅等の処理を行う。無線信号の周波数帯域は，ＲＦ装置１６が送受信する周波数帯域と同じに設定されている。また，送信電力も，ＲＦ装置１６の送信電力と同じに設定されている。
また，ＲＦ装置２３は，ＲＦ装置１６のメモリに記憶されたＭ系列データと同一のＭ系列データを内部のメモリに記憶している。
ＲＦ装置２３は，ＲＦ装置１６により送信されたＭ系列データを受信すると，自己の内部メモリに記憶されたＭ系列データと比較する。比較の結果，両Ｍ系列データの一致するビット数が所定の閾値以上である場合には，一致信号を処理装置２１に与える。Ｍ系列データの比較および一致するビット数の算出は，たとえば両Ｍ系列データを比較して一致するビットの個数を加算し，加算値をパルス圧縮信号として出力する一致・加算回路（図示略）により行うことができる。また，所定の閾値は，たとえばＭ系列データが３１ビットを有する場合には２４に設定される。
処理装置２１は，ＣＰＵまたはマイクロコンピュータ（図示略）と，ＣＰＵまたはマイクロコンピュータにより実行されるプログラムを記憶したメモリ（ＲＡＭ，ＲＯＭ等）（図示略）とを有する。処理装置２１は，１チップの集積回路素子により構成することもできるし，複数の回路素子が基板に搭載された回路モジュールにより構成することもできる。
処理装置２１のメモリには，プログラムに加えて，ホームセキュリティの処理に使用される玄関ドアＩＤおよび携帯電話ＩＤが記憶されている。ガスレンジモジュール３，照明モジュール４，エアコンモジュール５等の処理装置のメモリにも，それぞれ自己の識別子（ガスレンジＩＤ，照明ＩＤ，エアコンＩＤ等）および携帯電話ＩＤが記憶されている。
処理装置２１は，自己のメモリに記憶されたプログラムを実行して，本実施の形態によるホームセキュリティに関する処理を実行する。このホームセキュリティに関する処理には，携帯電話モジュール１からの指示に従って，センサ２２により検出されたドアロック２ａの状態を携帯電話モジュール１に通知する処理，および，ドアロック２ａを施錠または解錠する操作が含まれる。これらの処理の詳細については後述する。
ガスレンジモジュール３，照明モジュール４，エアコンモジュール５等も，携帯電話モジュール１の指示に従って，それぞれ，ガスレンジ３ａ，照明器具４ａ，エアコン５ａ等の状態の確認および操作を行う。
図４は，ホームセキュリティシステムの処理の流れを示すフローチャートであり，一例として，携帯電話モジュール１および玄関ドアモジュール２の処理の流れを示している。
住人Ｐが携帯電話Ｃのホームセキュリティ確認ボタンまたは住宅機器操作ボタンを押すと，携帯電話モジュール１の処理装置１１は，ＲＦ装置１６にＭ系列データの送信指令を与える。これにより，ＲＦ装置１６は，自己のメモリに記憶されたＭ系列データを呼びかけ信号として住宅機器へ送信する（Ｓ１）。Ｍ系列データは，住宅機器に確実に受信されるように，数秒間隔（たとえば２秒間隔）で複数回送信されることが好ましい。
Ｍ系列データの送信後，携帯電話モジュール１は，所定の時間（たとえば数秒から数十秒）の間，住宅機器からの住宅機器ＩＤの受信待ち状態となる（Ｓ３でＮＯ，Ｓ１７でＮＯ）。
Ｍ系列データは，無線信号によりブロードキャストされるので，住宅Ｈ内のすべての住宅機器モジュールに受信される。したがって，すべての住宅機器モジュールが自己の住宅機器ＩＤを携帯電話モジュール１に返信する。ここで，すべての住宅機器のモジュールが自己の住宅機器ＩＤを同時に携帯電話モジュール１に返信すると，混信して，携帯電話モジュール１がＩＤを受信できないおそれがある。
これを防止するために，各住宅機器モジュールは，Ｍ系列データの受信後，時分割多重通信，周波数分割多重通信，符号分割多重通信等のいずれかにより，それぞれの住宅機器ＩＤを携帯電話モジュール１に返信する。たとえば，時分割多重により住宅機器ＩＤを返信する場合に，各住宅機器モジュールは，Ｍ系列データ受信後，それぞれに割り当てられたタイムスロットにより住宅機器ＩＤを返信する。
また，住宅機器モジュール間にマスタモジュールを１つ設定し，それ以外のモジュールをスレーブモジュールに設定して，マスタモジュールが，スレーブモジュールから住宅機器ＩＤを一旦受信し，マスタモジュールのみが，スレーブモジュールから受信した住宅機器ＩＤを携帯電話モジュール１に返信するように構成することもできる。
以下では，時分割多重通信により所定のタイムスロットで住宅機器ＩＤをそれぞれ送信する場合について説明する。
あるＭ系列データの送信から次のＭ系列データの送信までの時間（たとえば２秒間）が，複数のタイムスロットに分割される。分割されたタイムスロットの個数は，住宅機器モジュール数以上に設定される。ここでは，玄関ドアモジュール２には第１タイムスロットが割り当てられ，ガスレンジモジュール３，照明モジュール４，エアコンモジュール５に順次第２タイムスロットから第４タイムスロットがそれぞれ割り当てられるものとする。
玄関ドアモジュール２のＲＦ装置２３は，アイドル状態では，Ｍ系列データの受信待ち状態にあり（Ｓ３１），携帯電話モジュール１からＭ系列データを受信すると，自己の内部メモリに記憶されたＭ系列データと一致するかどうかを確認する。
ＲＦ装置２３は，一致するビット数が所定の閾値以上であると，Ｍ系列データを受信したと判断して（Ｓ３１でＹＥＳ），一致信号を処理装置２１に与える。処理装置２１は，ＲＦ装置２３から一致信号を受け取ると，自己のメモリに記憶された玄関ドアＩＤを，ＲＦ装置２３を介して第１タイムスロットにより送信する（Ｓ３３）。ガスレンジモジュール３等の他のモジュールも，それぞれに割り当てられたタイムスロットで自己の住宅機器ＩＤを送信する。
なお，この住宅機器ＩＤとともに，Ｍ系列信号の受信に対する確認応答信号（ＡＣＫ信号）が送信されてもよい。
携帯電話モジュール１のＲＦ装置１６は，住宅機器ＩＤ（ここでは玄関ドアＩＤ）を受信すると（Ｓ３でＹＥＳ），受信した住宅機器ＩＤを処理装置１１に与える。
処理装置１１は，ＲＦ装置１６により受信された住宅機器ＩＤに一致するＩＤが，自己のメモリに記憶された，コマンド送信対象の住宅機器ＩＤに存在するかどうかを確認する（Ｓ５）。一致するＩＤが存在する場合には（Ｓ７でＹＥＳ），そのＩＤに対応する住宅機器モジュール（ここでは玄関ドアモジュール２）は，携帯電話モジュール１（処理装置１１）によって認証される。これにより，処理装置１１は，携帯電話ＩＤと，住人Ｐによって携帯電話１に入力されたコマンド（状態確認コマンドまたは操作コマンド）とをＲＦ装置１６を介して送信する（Ｓ９）。
送信された携帯電話ＩＤおよびコマンドは，無線信号によりブロードキャストされるので，住宅Ｈに存在するすべての住宅機器のモジュールに受信される。しかし，たとえば玄関ドアモジュール２に対するコマンドがガスレンジモジュール３に受信されても，このコマンドはガスレンジモジュール３により実行されないようになっている。
これは，コマンドを各モジュールに対して個別に設け，各モジュールがコマンドを識別して自己に対するコマンドのみを実行することにより実現することができる。たとえば，状態確認コマンドが，ドアロック状態確認コマンド，ガスレンジ状態確認コマンド等のように個別に設けられる。
あるいは，コマンドに，コマンドを実行する対象モジュールの住宅機器ＩＤ（たとえが玄関ドアＩＤ）を含めておくか，コマンドとともに対象モジュールの住宅機器ＩＤを送信することによっても実現することができる。
玄関ドアモジュール２の処理装置２１は，所定の時間（たとえば数ミリ秒から数秒程度）が経過するまでに，ＲＦ装置２３を介して携帯電話ＩＤおよびコマンド（および住宅機器ＩＤ）を受信すると（Ｓ３５でＹＥＳ），受信した携帯電話ＩＤと，自己のメモリに記憶された携帯電話ＩＤとを比較する（Ｓ３７）。両携帯電話ＩＤが一致する場合には（Ｓ３７でＹＥＳ），携帯電話モジュール１は，玄関ドアモジュール２（処理装置２１）によって認証されたこととなる。
続いて，処理装置２２は，受信したコマンドが，自己に対するコマンドかどうかを判定し（Ｓ３９），自己に対するコマンドである場合には（Ｓ３９でＹＥＳ），このコマンドを実行する（Ｓ４１）。
このように，携帯電話モジュール１が住宅機器モジュールを認証し（Ｓ５），かつ，住宅機器モジュールが携帯電話モジュール１を認証した後に（Ｓ３７），住宅機器モジュールは携帯電話モジュール１からのコマンドを実行することとなる。これにより，第三者による住宅機器への不正なアクセスが防止され，ホームセキュリティが確保される。
受信されたコマンドが状態確認コマンドである場合には，処理装置２１は，センサ２２により検出されたドアロック２ａの状態（施錠状態または解錠状態）を，コマンド実行結果としてＲＦ装置２３を介して送信する。コマンドが施錠操作コマンドである場合には，処理装置２１は，ドアロック２ａに施錠信号を与えてドアロック２ａを施錠し，コマンド実行結果として施錠完了をＲＦ装置２３を介して送信する。コマンドが解錠操作コマンドである場合には，ドアロック２ａに解錠信号を与えてドアロック２ａを解錠し，コマンド実行結果として解錠完了をＲＦ装置２３を介して送信する。
なお，前述したように，受信したコマンドが玄関モジュール１に対するコマンドでない場合には（Ｓ３９でＮＯ），処理装置２１は，ステップＳ３１に戻り，Ｍ系列データの受信待ち状態になる。また，ステップＳ３５において，処理装置２１が携帯電話ＩＤおよびコマンドを所定の時間の間に受信せず，タイムアウトとなった場合には（Ｓ４３でＹＥＳ），処理は再びステップＳ３１に戻って，処理装置２１はＭ系列データの受信待ち状態になる。
携帯電話モジュール１の処理装置１１は，ステップＳ９の処理後，所定の時間（たとえば数ミリ秒から数秒程度）の間，コマンド実行結果受信待ち状態になり（Ｓ９），コマンド実行結果を受信すると（Ｓ９でＹＥＳ），コマンド実行結果が必要な個数受信されたかどうかを判断する（Ｓ１１）。「必要な個数」は，住人Ｐが状態確認または操作の対象として選択した住宅機器の個数である。
ここで，コマンド実行結果も，コマンドと同様に，各モジュールに固有に設けられているか，あるいは，送信元住宅機器の住宅機器ＩＤがコマンドに含まれている。したがって，携帯電話モジュール１（処理装置１１）は，ステップＳ９でコマンドを送信した相手モジュールからの実行結果が受信されたかどうかを識別できるようになっている。したがって，処理装置１１は，ここでは，玄関ドアモジュール２からのコマンド実行結果が受信された場合にのみ，ステップＳ１３に処理を進めることとなる。
コマンド実行結果が必要個数受信されていない場合には（Ｓ１１でＮＯ），処理装置１１は，ステップＳ３に戻り，玄関ドアモジュール２以外のモジュール（たとえばガスレンジモジュール３）からのＩＤの受信待ち状態となる。そして，ＩＤが受信されると（玄関ドアモジュール２に対してステップＳ５からＳ１３の処理の実行中にすでに受信されている場合も含む。），ステップＳ５以降の処理が同様に実行される。
そして，コマンド実行結果が必要個数受信されると（Ｓ１１でＹＥＳ），処理装置１１は，コマンド実行結果をＬＣＤドライバ１２を介してＬＣＤ１３に表示する（Ｓ１３）。
状態確認コマンドに対するコマンド実行結果である場合には，選択された住宅機器の各状態がＬＣＤ１３に表示される。たとえば「玄関ドアロック：施錠状態」，「ガスレンジ：消火状態」等が表示される。操作コマンドに対するコマンド実行結果である場合には，選択された住宅機器に対する操作完了通知が表示される。たとえば，「玄関ドアロック施錠完了」等が表示される。これにより，住人Ｐは，住宅機器の状態を確認し，または，住宅機器の操作が完了したことを確認することができる。
ステップＳ３で所定の時間の間に住宅機器ＩＤが受信されず，タイムアウトとなった場合には（Ｓ１５でＹＥＳ），処理装置１１はエラー処理を実行し（Ｓ２１），エラー処理結果（エラーメッセージ等）をＬＣＤ１３に表示して（Ｓ１３），処理を終了する。
ステップＳ５で一致するＩＤが存在しない場合には，処理はステップＳ３に戻り，ステップＳ３からの処理が繰り返される。
ステップＳ９で所定の時間の間にコマンド実行結果が受信されず，タイムアウトとなった場合にも（Ｓ１７でＹＥＳ），処理装置１１はエラー処理を実行し，続いて，ステップＳ１１からの処理を実行する。
このように，本実施の形態によると，携帯電話モジュール１および各住宅機器モジュールが相互に認証し，認証後，住宅機器の状態確認または操作が行われるので，住宅機器への第三者による不正なアクセス（状態確認または操作）を防止することができ，ホームセキュリティを得ることができる。
なお，住宅機器ＩＤや携帯電話ＩＤは，暗号化して送信することもできる。これにより，ホームセキュリティをより一層高めることができる。
また，Ｍ系列データ（呼びかけ信号）は，携帯電話モジュール１でなく，各住宅機器モジュールが送信してもよい。
さらに，携帯電話Ｃによるホームセキュリティの監視および操作について説明したが，この携帯電話モジュール１の機能を腕時計に組み込み，腕時計によって住宅機器の状態確認および操作を行うこともできる。
＜第２の実施の形態＞
本発明の第２の実施の形態は，住宅機器とホームサーバとがホームネットワークを介して接続され，携帯電話１とホームサーバとが無線により通信して，住宅機器を状態確認および操作を行うものである。
図５は，第２の実施の形態によるホームセキュリティシステムの構成を示すブロック図である。この第２の実施の形態によるホームセキュリティシステムは，携帯電話モジュール１，ホームサーバ１００，玄関ドアモジュール６，ガスレンジモジュール７，照明モジュール８，エアコンモジュール９等を有する。
携帯電話モジュール１は，図２に示す第１の実施の形態の携帯電話モジュール１と同じ構成を有するので，その構成要素には図２の示すものと同じ符号を付している。ただし，処理装置１１のメモリには，住宅機器ＩＤに代えてホームサーバ１００の識別子（ホームサーバＩＤ）が記憶されている。
ホームサーバ１００，玄関ドアモジュール６，ガスレンジモジュール７，照明モジュール８，エアコンモジュール９等は，住宅Ｈ内に設けられる。ホームネットワーク１１０は，住宅Ｈに設けられた構内網（ＬＡＮ）である。ホームサーバ１００，玄関ドアモジュール６，ガスレンジモジュール７，照明モジュール８，エアコンモジュール９等は，ホームネットワーク１１０に接続され，それぞれＩＰアドレス（ホームネットワーク１１０におけるローカルアドレスまたはグローバルアドレス）を有する。そして，ホームサーバ１００，玄関ドアモジュール６，ガスレンジモジュール７，照明モジュール８，エアコンモジュール９等は，このＩＰアドレスに基づき，ホームネットワーク１１０を介して相互に通信可能になっている。
玄関ドアモジュール６は，処理装置２１，センサ２２，およびネットワークインタフェース装置（ネットワークＩＦ装置）６０を有する。処理装置２１およびセンサ２２は，図２に示す第１の実施の形態の玄関ドアモジュール２の処理装置２１およびセンサ２２とそれぞれ同じであるので，同じ符号を付し，その詳細な説明を省略することとする。ネットワークＩＦ装置６０は，たとえばネットワークインタフェースカード等により構成され，ホームネットワーク１１０とのインタフェース処理（通信プロトコルの処理等）を実行する。このネットワークＩＦ装置６０は，図２の玄関ドアモジュール２のＲＦ装置２３の代わりに設けられたものである。
他の住宅機器モジュールであるガスレンジモジュール７，照明モジュール８，エアコンモジュール９等も同様であり，処理装置およびセンサは，第１の実施の形態と同じであり，ＲＦ装置の代わりにネットワークＩＦ装置が設けられている。
ホームサーバ１００は，処理装置１０１，ＲＦ装置１０２，アンテナ１０２ａ，およびネットワークＩＦ装置１０３を有する。
ＲＦ装置１０２は，携帯電話モジュール１のＲＦ装置１６と同様の機能および構成を有するので，ここではその詳細な説明を省略する。ネットワークＩＦ装置１０３は，ネットワークＩＦ装置６０と同様の機能および構成を有し，ホームネットワーク１１０とのインタフェース処理を実行する。
処理装置１０１は，処理装置２１と同様に，ＣＰＵまたはマイクロコンピュータと，メモリとからなり，通常のホームサーバの処理に加えて，後述する本実施の形態によるホームセキュリティの処理を実行する。
処理装置１０１のメモリには，ホームサーバＩＤおよび携帯電話ＩＤが記憶されている。
図６は，本発明の第２の実施の形態によるホームセキュリティシステムの処理の流れを示すフローチャートである。図４に示す第１の実施の形態の処理と同じ処理には同じ符号を付し，その詳細な説明を省略することとする。
本実施の形態では，ホームサーバ１００のみが，携帯電話モジュール１と無線通信を行い，住宅機器ＩＤの交換を行う。
住人Ｐが携帯電話Ｃのホームセキュリティ確認ボタンまたは住宅機器操作ボタンを押すと，携帯電話モジュール１のＲＦ装置１６はＭ系列データを送信する。ホームサーバ１００のＲＦ装置１０２は，ＲＦ装置１６からのＭ系列データを受信すると（Ｓ３１でＹＥＳ），受信したＭ系列データと自己に記憶されたＭ系列データとを比較する。両Ｍ系列データの一致するビット数が所定の閾値以上である場合には，一致信号を処理装置１０１に与える。
処理装置１０１は，ＲＦ装置１０２から一致信号を受信すると，自己のメモリに記憶されたホームサーバＩＤをＲＦ装置１０２を介して送信する（Ｓ６１）。携帯電話モジュール１の処理装置１１は，Ｍ系列データの送信後，所定の時間（たとえば数ミリ秒〜数秒程度）の間にホームサーバＩＤを受信すると（Ｓ３でＹＥＳ），受信したホームサーバＩＤが処理装置１１のメモリに記憶されたホームサーバＩＤと一致するかどうかを判定する（Ｓ５１）。
両ホームサーバＩＤが一致する場合には（Ｓ５１でＹＥＳ），ホームサーバ１００は，携帯電話モジュール１により認証されたこととなる。これにより，携帯電話モジュール１は，自己のメモリに記憶された携帯電話ＩＤおよび住人Ｐにより入力されたコマンドを送信する（Ｓ７）。
ホームサーバ１００の処理装置１０１は，ホームサーバＩＤの送信後，所定の時間（たとえば数ミリ秒〜数秒程度）の間に携帯電話ＩＤおよびコマンドを受信すると（Ｓ３５でＹＥＳ），受信した携帯電話ＩＤと，処理装置１０１のメモリに記憶された携帯電話ＩＤとが一致するかどうかを判定する（Ｓ３７）。
両携帯電話ＩＤが一致する場合には（Ｓ３７でＹＥＳ），携帯電話モジュール１（携帯電話Ｃ）は，ホームサーバ１００に認証されたこととなる。これにより，処理装置１０１は，受信したコマンドを，コマンドを実行する住宅機器モジュールにホームネットワーク１１０を介して送信する（Ｓ６３）。
このように，携帯電話モジュール１がホームサーバ１００を認証し（Ｓ５１），ホームサーバ１００が携帯電話モジュール１を認証した後に（Ｓ３７），ホームサーバ１００は，住宅機器モジュールにコマンドを与え，コマンドを実行させることとなる。これにより，第三者による住宅機器への不正なアクセスが防止され，ホームセキュリティが確保される。
コマンドを実行する住宅機器モジュールは，第１の実施の形態で説明したように，コマンドにより識別可能であるか，または，携帯電話モジュール１がコマンドに住宅機器ＩＤを含めて送信するか，もしくは，コマンドとともに住宅機器ＩＤを送信することにより，特定することができる。これらのいずれかにより，処理装置１０１は，コマンドの送信先となる住宅機器モジュールを特定し，特定した住宅機器モジュールにコマンドを送信する。
また，コマンドが複数の住宅機器を対象とするものである場合には，対象となる複数の住宅機器モジュールにコマンドが送信される。たとえば，コマンドに複数の住宅機器ＩＤが含まれている場合には，複数の住宅機器にコマンドが送信される。
コマンドを受信した住宅機器モジュールは，コマンドを実行し，コマンド実行結果をホームネットワーク１１０を介してホームサーバ１００に返信する。
たとえば，コマンドがガスレンジモジュール７の状態確認である場合には，このコマンドは，ホームネットワーク１１０を介してガスレンジモジュール７に送信される。ガスレンジモジュール７は，ガスレンジ３ａの状態（点火状態／消火状態）を検出して，検出した状態をホームネットワーク１１０を介してホームサーバ１００に返信する。
また，コマンドがエアコンの設定温度の変更である場合には，このコマンドは，ホームネットワーク１１０を介してエアコンモジュール９に送信される。エアコンモジュール９は，エアコン５ａの設定温度をコマンドに含まれる温度に設定し，コマンド実行結果として温度設定完了をホームネットワーク１１０を介してホームサーバ１００に返信する。
ホームサーバ１００の処理装置１０１は，コマンド送信後，所定の時間（たとえば数ミリ秒〜数秒程度）の間に，必要な個数のコマンド実行結果を受信待ち状態となる（Ｓ６５，Ｓ６７，Ｓ７１）。ここで，「必要な個数」とは，前述した第１の形態と同様に，住人Ｐが状態確認または操作の対象として選択した住宅機器の個数であり，また，ホームサーバ１００がコマンドを送信した住宅機器の個数でもある。
処理装置１０１は，所定の時間の間に，必要個数の実行結果を受信すると（Ｓ６５でＹＥＳ，Ｓ６７でＹＥＳ），受信した必要個数の実行結果を携帯電話モジュール１に送信する（Ｓ６９）。
携帯電話モジュール１は，所定の時間の間にコマンド実行結果を受信すると（Ｓ１１でＹＥＳ），受信したコマンド実行結果をＬＣＤ１３に表示する（Ｓ１３）。これにより，住人Ｐは，住宅機器の状態を確認し，または，住宅機器の操作が完了したことを確認することができる。
なお，ステップＳ３で，ホームページＩＤが受信されず，タイムアウトとなった場合には（Ｓ１５でＹＥＳ），携帯電話モジュール１は，エラー処理を行い，エラー処理結果（エラーメッセージ等）をＬＣＤに表示する（Ｓ１３）。また，ステップＳ３５で，携帯電話ＩＤおよびコマンドが所定の時間の間に受信されず，タイムアウトとなった場合には（Ｓ３５でＮＯ），処理はステップＳ３１に戻り，ホームサーバ１００の処理装置１０１はＭ系列データの受信待ち状態になる。
ステップＳ６５で必要個数の実行結果が所定の時間の間に受信されず，タイムアウトとなった場合には（Ｓ７１でＹＥＳ），処理装置１０１は，受信したコマンド実行結果については，これを携帯電話モジュール１に返信し，受信しなかったコマンド実行結果についてはエラー処理を行い，エラー処理結果を携帯電話モジュール１に返信する（Ｓ６９）。
ステップＳ１１で，所定の時間の間に，実行結果（およびエラー処理結果）が受信されず，タイムアウトとなった場合には（Ｓ１７でＹＥＳ），携帯電話モジュール１は，エラー処理を行い（Ｓ１９），エラー処理結果をＬＣＤ１３に表示する（Ｓ１３）。
このように，本実施の形態によると，携帯電話モジュール１およびホームサーバ１００が相互に認証し，認証後，住宅機器の状態確認または操作が行われるので，住宅機器（およびホームサーバ１００）への第三者による不正なアクセス（状態確認または操作）を防止することができ，ホームセキュリティを得ることができる。
なお，ホームサーバＩＤや携帯電話ＩＤは，暗号化して送信することもできる。これにより，ホームセキュリティをより一層高めることができる。
また，Ｍ系列データ（呼びかけ信号）は，携帯電話モジュール１でなく，ホームサーバ１００が送信してもよい。
さらに，携帯電話Ｃによるホームセキュリティの監視および操作について説明したが，この携帯電話モジュール１の機能を腕時計に組み込み，腕時計によって住宅機器の状態確認および操作を行うこともできる。
＜第３の実施の形態＞
本発明の第３の実施の形態は，携帯電話モジュール１がホームセキュリティ企業Ｓのセキュリティサーバ（セキュリティ装置）２００を介して住宅機器の状態確認および操作を行うものである。
図７は，本発明の第３の実施の形態によるホームセキュリティシステムの構成を示すブロック図である。図２に示す第１の実施の形態または図５に示す第２の実施の形態によるホームセキュリティシステムと同じ構成要素には同じ符号を付し，その詳細な説明を省略することとする。
この第３の実施の形態によるホームセキュリティシステムは，携帯電話モジュール１，セキュリティサーバ２００，ホームサーバ１２０，玄関ドアモジュール６，ガスレンジモジュール７，照明モジュール８，エアコンモジュール９等を有する。
ホームサーバ１２０は，住宅Ｈに設置され，図５に示す第２の実施の形態におけるホームサーバ１００と同様に，処理装置１０１およびネットワークＩＦ装置１０３を有する。そして，ネットワークＩＦ装置１０３により，ホームサーバ１２０はホームネットワーク１１０に接続され，ホームネットワーク１１０を介して玄関ドアモジュール６，ガスレンジモジュール７，照明モジュール８，エアコンモジュール９等に接続される。他方で，ホームサーバ１２０は，インターネット３００と接続するためのネットワークＩＦ装置を有し，このネットワークＩＦ装置によりインターネット３００に接続される。
ただし，本実施の形態では，ホームサーバ１２０は，セキュリティサーバ２００およびインターネット３００を介して携帯電話モジュール１からアクセスされるよう構成され，携帯電話モジュール１と無線により直接通信しないように構成される。したがって，ホームサーバ１２０は，ホームサーバ１００と異なりＲＦ装置１０２およびアンテナ１０２ａを有しない。
セキュリティサーバ２００は，ホームセキュリティサービスを提供するセキュリティ企業Ｓが所有または運営するサーバであり，インターネット３００に接続されている。
携帯電話モジュール１は，ＲＦ装置１６（図２および図５参照）およびアンテナ１６ａを介して無線ＬＡＮ３１０のアクセスポイント（図示略）と通信することができる。このアクセスポイントは，たとえば，ネットカフェ等に設置され，将来的には，ネットカフェに加えて，街中に所定の間隔で設置される。
無線ＬＡＮ３１０は，ゲートウェイ等（図示略）を介してインターネット３００に接続されている。これにより，携帯電話モジュール１は，セキュリティサーバ２００のＩＰアドレスに基づき，無線ＬＡＮ３１０およびインターネット３００を介してセキュリティサーバ２００と通信することができる。
一方，携帯電話モジュール１は，移動無線通信装置１４（図２および図５参照）およびアンテナ１４ａを介して移動通信ネットワーク３２０の基地局（図示略）と通信することができる。移動通信ネットワーク３２０は，ゲートウェイ等（図示略）を介してインターネット３００に接続されている。これにより，携帯電話モジュール１は，セキュリティサーバ２００のＩＰアドレス（または電話番号）に基づき，移動通信ネットワーク３２０およびインターネット３００を介してセキュリティサーバ２００と通信することができる。
セキュリティ企業Ｓは，提供するホームセキュリティサービスに加入した加入者（住宅の住人）に対して加入者の識別子（加入者ＩＤ）を割り当て，加入者宅のホームサーバに対してホームサーバの識別子（ホームサーバＩＤ）を割り当てる。加入者ＩＤは，第１および第２の実施の形態における携帯電話ＩＤと同じであってもよいし，異なるものであってもよい。
加入に伴い，加入者ＩＤおよびホームサーバＩＤは，セキュリティサーバ２００の内部メモリ（ハードディスク等）に記憶された加入者情報テーブルに登録される。
図８は，セキュリティサーバ２００に記憶された加入者情報テーブルの一例を示している。加入者情報テーブルは，ホームセキュリティサービスに加入した加入者の加入者ＩＤ，加入者の住宅Ｈに設けられたホームサーバのホームサーバＩＤ，ホームサーバのＩＰアドレス，加入者の氏名，住所，電話番号，住宅Ｈに設けられた住宅機器一覧等のデータ項目を有する。加入の際には，これらのデータ項目がセキュリティサーバ２００に登録され，このデータに基づいてセキュリティサーバ２００は，ホームセキュリティサービスを提供する。
加入者ＩＤおよびセキュリティサーバ２００のＩＰアドレスは，加入に伴い，携帯電話モジュール１の処理装置１１のメモリにも記憶される。また，ホームサーバＩＤは，ホームサーバ１２０のメモリにも記憶される。
このような構成の第３の実施の形態によるホームセキュリティシステムにおける住宅機器の状態確認および操作の処理について以下に説明する。図９は，第３の実施の形態によるホームセキュリティシステムの処理の流れを示すシーケンス図である。
ホームセキュリティ確認ボタンまたは住宅機器操作ボタンが住人Ｐにより操作されると，携帯電話モジュール１の処理装置１１は，ＲＦ装置１６により無線ＬＡＮ３１０へアクセスし，または，移動無線通信装置１４により移動通信ネットワーク３２０へアクセスする。いずれにアクセスするかは，住人Ｐが選択することもできるし，アクセス時の通信状態（電波強度等）に基づいて，処理装置１１が通信状態の良好な方を選択することもできる。
続いて，携帯電話モジュール１は，無線ＬＡＮ３１０または移動通信ネットワーク３２０の一方，および，インターネット３００を介してセキュリティサーバ２００に加入者ＩＤおよびコマンド（および住宅機器ＩＤ）を送信する（Ｓ８１）。
セキュリティサーバ２００は，携帯電話モジュール１から加入者ＩＤを受信すると，加入者情報テーブル（図８参照）を検索し，受信した加入者ＩＤが登録されているかどうかを判定する。受信した加入者ＩＤが加入者情報テーブルに登録されている場合には，セキュリティサーバ２００は，携帯電話モジュール１（携帯電話Ｃ，住人Ｐ）を認証する。なお，受信した加入者ＩＤが加入者情報テーブルに登録されていない場合には，認証は行われず，したがってその後の処理は実行されない。
続いて，セキュリティサーバ２００は，加入者ＩＤに対応するホームサーバのＩＰアドレスに基づいて，ホームサーバ１２０に，コマンドを実行する指令（コマンド実行指令）と，携帯電話モジュール１から送信されたコマンドとをインターネット３００を介して送信する。なお，第１の実施の形態と同様に，コマンドを実行すべき住宅機器モジュールを特定するために，コマンドとともに住宅機器ＩＤが送信されることもある。
ここで，セキュリティサーバ２００がコマンド実行指令をホームサーバ１２０に送信する前に，図９の破線の矢印およびブロックで示すように，セキュリティサーバ２００とホームサーバ１２０とは，相互認証を行ってもよい。
具体的には，セキュリティサーバ２００は，セキュリティサーバの識別子（セキュリティサーバＩＤ）をインターネット３００を介してホームサーバ１２０に送信する。ホームサーバ１２０のメモリには，セキュリティサーバＩＤがサービス加入時に登録され，ホームサーバ１２０は，メモリに登録されたセキュリティサーバＩＤと，セキュリティサーバ２００から送信されたセキュリティサーバＩＤとを比較する。比較の結果，両セキュリティサーバＩＤが一致すると，ホームサーバ１２０はセキュリティサーバ２００を認証する（Ｓ８３）。
セキュリティサーバ２００の認証後，ホームサーバ１２０は，ホームサーバＩＤをインターネット３００を介してセキュリティサーバ２００に送信する。セキュリティサーバ２００は，ホームサーバ１２０から送信されたホームサーバＩＤと，加入者情報テーブル（図８参照）に登録されたホームサーバサーバＩＤとを比較し，両ホームサーバＩＤが一致することにより，ホームサーバ１２０を認証する（Ｓ８５）。
コマンド実行指令およびコマンド（および住宅機器ＩＤ）がセキュリティサーバ２００からホームサーバ１２０により送信されると，ホームサーバ１２０は，前述した第２の実施の形態と同様にして，コマンドをホームネットワーク１１０を介して，コマンドを実行する対象となる住宅機器モジュールに送信し，その後，コマンド実行結果を該住宅機器モジュールからホームネットワーク１１０を介して受信する（Ｓ８７，図６のステップＳ６３〜Ｓ６７，Ｓ７１，Ｓ７３参照）。
続いて，ホームサーバ１２０は，住宅機器モジュールから受信したコマンド実行結果（またはエラー処理結果（エラーメッセージ等））をインターネット３００を介してセキュリティサーバ２００に返信する。セキュリティサーバ２００は，返信されたコマンド実行結果（またはエラー結果）をインターネット３００と，無線ＬＡＮ３１０または移動通信ネットワーク３２０とを介して携帯電話モジュール１に返信する。携帯電話モジュール１は，返信されたコマンド実行結果をＬＣＤ１３に表示する（Ｓ８９）。これにより，住人Ｐは，住宅機器の状態を確認し，または，操作結果を確認することができる。
このように，本実施の形態では，セキュリティサーバ２００によって携帯電話モジュール１が認証された後，セキュリティサーバ２００がホームサーバ１２０にアクセスして，住宅機器の状態確認または操作が行われる。したがって，第三者による住宅機器およびホームサーバ１２０への不正なアクセスを防止することができる。また，ステップＳ８３およびＳ８５の相互認証を加えることにより，セキュリティをより一層向上させることができ，ホームサーバ１２０および住宅Ｈ内の住宅機器への第三者の不正なアクセスをより一層確実に防止することができる。
なお，ホームサーバ１２０は，コマンド実行結果（またはエラー処理結果）をセキュリティサーバ２００を介することなく，インターネット３００，および，無線ＬＡＮ３１０または移動通信ネットワーク３２０を介して直接携帯電話モジュール１に返信してもよい。
また，無線ＬＡＮ３１０，移動通信ネットワーク３２０，およびインターネット３００の少なくとも１つを介して通信される情報（特に加入者ＩＤ，セキュリティサーバＩＤ，ホームサーバＩＤ等）は，暗号化して通信することもできる。これにより，セキュリティをより一層向上させることができる。
本実施の形態も携帯電話Ｃによる例について説明したが，携帯電話モジュール１の機能を腕時計に実現することもできる。
＜第４の実施の形態＞
本発明の第４の実施の形態は，ワイヤレス認証局Ｗのワイヤレス認証サーバ（ワイヤレス認証装置）４００が携帯電話モジュール１（携帯電話Ｃ，住人Ｐ）を認証し，電子認証データをホームセキュリティ企業Ｓのセキュリティサーバ２００に与えた後，住宅機器の状態確認または操作が行われるものである。
図１０は，本発明の第４の実施の形態によるホームセキュリティシステムの構成を示すブロック図である。図５に示す第２の実施の形態または図７に示す第３の実施の形態によるホームセキュリティシステムと同じ構成要素には同じ符号を付し，その詳細な説明を省略することとする。
この第４の実施の形態によるホームセキュリティシステムは，携帯電話モジュール１，セキュリティサーバ２００，ワイヤレス認証サーバ４００，ホームサーバ１３０，玄関ドアモジュール６，ガスレンジモジュール７，照明モジュール８，エアコンモジュール９等を有する。
ワイヤレス認証サーバ４００は，ワイヤレス認証局Ｗが所有または運営するサーバであり，内部の記憶装置（ハードディスク等）に電子認証情報テーブルを保持する。図１１は，ワイヤレス認証サーバ４００が保持するワイヤレス電子認証情報テーブルの一例を示している。ワイヤレス認証情報テーブルは，ワイヤレス認証局Ｗに登録した登録者（ここでは住人Ｐ）の識別子（登録者ＩＤ），登録者の氏名，住所，電話番号，性別，年齢，および登録年月日のデータ項目を有する。
登録者ＩＤは，ワイヤレス認証局Ｗが住人Ｐを登録する際に住人Ｐに発行する識別子であり，登録者を一意に識別するための情報である。この登録者ＩＤは，セキュリティサーバ２００が保持する加入者情報テーブルの加入者ＩＤ（図８参照）と同じものであってもよいし，異なるものであってもよい。異なる場合には，加入者ＩＤと登録者ＩＤとを対応付けるために，加入者情報テーブルに登録者ＩＤのデータ項目が設けられる。
この登録者ＩＤは，ワイヤレス認証局Ｗに住人Ｐが登録される際に，住人Ｐが所持する携帯電話モジュール１のメモリにも記憶（登録）される。
ワイヤレス認証サーバ４００は，インターネット３００に接続され，インターネット３００を介して携帯電話モジュール１から電子認証発行要請および登録者ＩＤを受信すると，電子認証情報テーブルに基づいて，登録者ＩＤに対応する電子認証データ（すなわち住人Ｐの実在を照明する実在証明書）を発行する。
ホームサーバ１３０は，住宅Ｈに設置され，一方でホームネットワーク１１０に接続され，他方でインターネット３００に接続される。ホームサーバ１３０は，第２の実施の形態におけるホームサーバ１００の構成要素である処理装置１０１，ＲＦ装置１０２，アンテナ１０２ａ，およびネットワークＩＦ装置１０３（図５参照）に加えて，インターネット３００と接続するためのネットワークＩＦ装置を有する。
このように，ホームサーバ１３０はＲＦ装置１０２およびアンテナ１０２ａを有するので，携帯電話モジュール１が近接距離（数ｍ〜数十ｍ）に存在する場合には，携帯電話モジュール１と無線により直接通信する点が，前述した第３の実施の形態と異なる。
このような構成の第４の実施の形態によるホームセキュリティシステムにおける住宅機器の状態確認および操作の処理について以下に説明する。図１２は，第４の実施の形態によるホームセキュリティシステムの処理の流れを示すシーケンス図である。
ホームセキュリティ確認ボタンまたは住宅機器操作ボタンが住人Ｐにより操作されると，携帯電話モジュール１は，３つの経路（第１から第３の経路）のいずれかによりワイヤレス認証サーバ４００およびセキュリティサーバ２００にアクセスする。
第１の経路は，携帯電話モジュール１がホームサーバ１３０およびインターネット３００を介してワイヤレス認証サーバ４００およびセキュリティサーバ２００にアクセスする経路である。この第１の経路は，携帯電話モジュール１がホームサーバ１３０の近接距離（数ｍ〜数十ｍ程度）に位置し，携帯電話モジュール１のＲＦ装置１６がホームサーバ１３０のＲＦ装置１０２と通信できる場合に選択される。
第２の経路は，携帯電話モジュール１が無線ＬＡＮ３１０およびインターネット３００を介してワイヤレス認証サーバ４００およびセキュリティサーバ２００にアクセスする経路である。この第２の経路は，携帯電話モジュール１がホームサーバ１３０の近接位置から遠ざかってホームサーバ１３０と通信不能となり，ＲＦ装置１６によって無線ＬＡＮ３１０のアクセスポイントと通信できる範囲に位置した場合に選択される。
第３の経路は，携帯電話モジュール１が携帯電話通信ネットワーク３２０およびインターネット３００を介してワイヤレス認証サーバ４００およびセキュリティサーバ２００にアクセスする経路である。この第３の経路は，携帯電話モジュール１がホームサーバ１３０の近接位置から遠ざかってホームサーバ１３０と通信不能となり，移動無線通信１４によって携帯通信ネットワーク３２０の基地局と通信できる範囲に位置した場合に選択される。
なお，第１から第３の経路のいずれによっても通信可能な場合には，第１の経路が優先的に選択されてもよいし，住人Ｐにより指定された経路が選択されてもよい。また，通信状態の良好な経路が選択されてもよい。第１および第２の２つの経路，または，第１および第３の２つの経路によって通信可能な場合も同様である。第２および第３の２つの経路によって通信可能な場合には，住人Ｐにより指定された経路または通信状態の良好な経路を選択することができる。
携帯電話モジュール１は，ワイヤレス認証サーバ４００にアクセスし，ワイヤレス認証サーバ４００に電子認証データ発行要請を送信する。この電子認証データ発行要請には，携帯電話モジュール１に記憶（登録）された登録者ＩＤと，電子認証データの発行先（ここではセキュリティサーバ２００）とが含まれている。発行先は，たとえば発行先のＩＰアドレス，または，発行先のＩＰアドレスおよび名称（たとえばセキュリティ企業Ｓの企業名）により表されている。
また，携帯電話モジュール１は，セキュリティサーバ２００にアクセスし，セキュリティサーバ２００に加入者ＩＤおよびコマンド（および住宅機器ＩＤ）を送信する。
ワイヤレス認証サーバ４００は，電子認証情報テーブル（図１１参照）を検索し，電子認証データ発行要請に含まれる登録者ＩＤと一致するＩＤの登録者が存在するかどうかを確認する。一致するＩＤの登録者が電子認証情報テーブルに存在する場合には，ワイヤレス認証サーバ４００は，携帯電話モジュール１（携帯電話Ｃ，住人Ｐ）を認証し（Ｓ９１），電子認証データ発行要請に含まれる発行先（すなわちセキュリティサーバ２００）に，登録者ＩＤに対応する電子認証データを発行する。発行される電子認証データには，図１１に示す電子認証情報テーブルのデータ項目（登録者ＩＤ，氏名，住所，電話番号，性別，年齢等）が含まれる。
電子認証データの発行後，ワイヤレス認証サーバ４００は，住人Ｐからの電子認証データ発行要請があったこと，および，該要求に応じてセキュリティサーバ２００に電子認証データを発行したことを示すログを記憶装置に記憶する。このログにより，セキュリティ企業Ｓは，住宅Ｈの状態確認または操作を無断で行ったのではなく，住人Ｐからの要請に応じて行ったことを住人Ｐに対して証明することができる。
なお，電子認証データ発行要請に含まれる登録者ＩＤと一致するＩＤが電子認証情報テーブルに存在しない場合には，ワイヤレス認証サーバ４００は，電子認証データを発行しない。したがって，その後の住宅機器の状態確認または操作の処理は実行されない。
セキュリティサーバ２００は，携帯電話モジュール１から加入者ＩＤおよびコマンド（および住宅機器ＩＤ）を受信し，かつ，ワイヤレス認証サーバ４００から電子認証データを受信すると，加入者ＩＤと，認証データに含まれる登録者ＩＤとが対応するものであることを確認した後，コマンド実行指令およびコマンド（および住宅機器ＩＤ）をホームサーバ１３０に送信する。
セキュリティサーバ２００は，携帯電話モジュール１からの加入者ＩＤおよびワイヤレス認証サーバ４００からの電子認証データの少なくとも一方を受信しない場合には，コマンド実行指令（およびコマンド）をホームサーバ１３０に送信しない。これにより，住宅機器の状態確認または操作は実行されない。
このように，セキュリティサーバ２００は，加入者ＩＤのみを受信しただけでは，コマンド実行指令をホームサーバ１３０に与えず，加入者ＩＤに加えて，電子認証データがワイヤレス認証サーバ４００（ワイヤレス認証局Ｗ）から発行されることにより，コマンド実行指令をホームサーバ１３０に与える。これにより，セキュリティが向上し，第三者が不正に住宅Ｈの住宅機器にアクセスして，状態確認や操作を行うことを防止することができる。
以後，第３の実施の形態と同様にして，コマンドが各住宅機器モジュールにより実行され（Ｓ９３），住宅機器の状態または操作結果（またはエラー結果）がホームサーバ１３０に返信される。
ホームサーバ１３０は，図１２において実線で示すように，コマンド実行結果（またはエラー結果）をセキュリティサーバ２００に返信し，セキュリティサーバ２００がコマンド実行結果（またはエラー処理結果）を携帯電話モジュール１に返信する。あるいは，図１２において破線で示すように，ホームサーバ１３０は，セキュリティサーバ２００を介することなく，無線により直接，または，インターネット３００および無線ＬＡＮ３１０を介して，もしくは，インターネット３００および移動通信ネットワーク３２０を介して，コマンド実行結果（またはエラー処理結果）を携帯電話モジュール１に返信してもよい。
携帯電話モジュール１に返信されたコマンド実行結果（またはエラー処理結果）は，ＬＣＤ１３に表示される（Ｓ９３）。これにより，住人Ｐは，住宅機器の状態を確認し，または，操作結果を確認することができる。
なお，第３の実施の形態と同様に，セキュリティサーバ２００がコマンド実行指令をホームサーバ１３０に送信する前に，セキュリティサーバ２００とホームサーバ１３０とは，相互に自己のＩＤを交換し合い，相互認証を行ってもよい。
また，無線ＬＡＮ３１０，移動通信ネットワーク３２０，およびインターネット３００の少なくとも１つを介して通信される情報（特に加入者ＩＤ，登録者ＩＤ，セキュリティサーバＩＤ，ホームサーバＩＤ等）は，暗号化して通信することもできる。これにより，セキュリティをより一層向上させることができる。
本実施の形態も携帯電話Ｃによる例について説明したが，携帯電話モジュール１の機能を腕時計に実現することもできる。
＜他の実施の形態＞
第４の実施の形態において，セキュリティサーバ２００とワイヤレス認証サーバ４００とを一体にして１つのサーバにより構成することもできる。すなわち，この一体とされたサーバは，電子認証データの発行およびログの記録，ならびに，住宅機器の状態確認または操作を行う。
また，第２の実施の形態において，ホームサーバ１００と住宅機器モジュールの１つ，たとえば玄関ドアモジュール６とを一体に構成することができる。この場合には，玄関ドアモジュール６がマスタモジュールとなり，他の住宅機器モジュールがスレーブモジュールとなる。第３および第４の実施の形態においても同様に構成することができる。
さらに，第１から第４の実施の形態において，携帯電話Ｃに使用制限装置を組み込み，住人Ｐが所持する腕時計にこの使用制限装置とＩＤを無線信号により交換する送信装置を組み込むことにより，送信装置（すなわち腕時計をした住人Ｐ）が携帯電話Ｃ（すなわち携帯電話モジュール１）から所定の距離以上離れると，使用制限装置が携帯電話Ｃを使用不能にすることもできる。
すなわち，送信装置は，自己のＩＤ（送信装置ＩＤ）を所定の時間間隔で無線信号により送信する。使用制限装置は，この送信装置ＩＤを受信し，受信した送信装置ＩＤと，あらかじめ記憶された送信装置ＩＤとを比較する。両送信装置ＩＤが一致すると，使用制限装置は，携帯電話ＩＤを無線信号により送信する。
送信装置は，携帯電話ＩＤを受信し，受信した携帯電話ＩＤと，あらかじめ記憶された携帯電話ＩＤとを比較する。両携帯電話ＩＤが一致すると，送信装置は，再び一定時間間隔で送信装置ＩＤの送信を繰り返す。
一方，携帯電話Ｃの紛失，置き忘れ，盗難等により，使用制限装置（すなわち携帯電話モジュール１，携帯電話Ｃ）が，腕時計に組み込まれた送信装置から遠く離れると，使用制限装置が受信する送信装置ＩＤの電波強度が弱くなる。この電波強度が所定の閾値以下になると，使用制限装置は，携帯電話Ｃおよび携帯電話モジュール１を使用できないようにする。たとえば，電源（電池）から携帯電話Ｃや携帯電話モジュール１への電力供給をストップしたり，携帯電話Ｃを操作不能にしたりする。
送信装置（腕時計）は，使用制限装置からの受信電波強度が所定の閾値以下になると，ブザーを鳴らす等によって，携帯電話Ｃの紛失や置き忘れ，盗難等を住人Ｐに知らせる。これにより，携帯電話Ｃが第三者に不正に使用され，住宅機器に不正にアクセスされることを防止でき，セキュリティをさらに向上させることができる。
【産業上の利用の可能性】
本発明は，ホームセキュリティシステムに利用することができる。
本発明によると，住宅に設けられたドアロック，ガス器具，家電機器等の住宅機器を遠隔から監視し，その状態を確認できるとともに，状態を操作して変更することができる。
また，本発明によると，この住宅機器の状態の確認および操作を，第三者が不正に行うことを有効に防止することができる。
【図１】
2004086328.tif 000003
【図２】
2004086328.tif 000004
【図３】
2004086328.tif 000005
【図４】
2004086328.tif 000006
【図５】
2004086328.tif 000007
【図６】
2004086328.tif 000008
【図７】
2004086328.tif 000009
【図８】
2004086328.tif 000010
【図９】
2004086328.tif 000011
【図１０】
2004086328.tif 000012
【図１１】
2004086328.tif 000013
【図１２】
2004086328.tif 000014
【国際調査報告】
2004086328.tif 000015
2004086328.tif 000016
2004086328.tif 000017
2004086328.tif 000018